(57)【要約】  本発明の１つ以上の実施形態は、データ処理装置に提出された自然人または法人のメタデータを自動的に検証するように動作可能なデータ処理装置を提供し、データ処理装置は、通信端末と第１通信システム；前記通信端末の地理的位置を規定する第１のアドレスデータを前記通信端末から受信し、前記第１のアドレスデータから前記通信端末のための第１の地理的位置を導き出すステップと、第１の地理的位置とストリートアドレスとの間の第１の地理的対応関係を決定するために、第１の地理的位置と自然または法的人物のためのデータ処理装置に供給されるストリートアドレスとを比較する。本発明の１つ以上の実施形態は、法人の自然のメタデータの入力を受け付けるように動作する通信端末、自然または法人のメタデータを自動的に検証するシステム、およびデータ処理を操作する方法を提供する装置。【特許請求の範囲】
【請求項１】
前記データ処理装置に提出された自然人または法人のメタデータを自動的に検証するデータ処理装置であって、
第１の通信システムを介して通信端末との通信セッションを確立するステップと、
前記通信端末の地理的位置を規定する第１のアドレスデータを前記通信端末から受信し、
前記第１のアドレスデータから前記通信端末のための第１の地理的位置を導き出すステップと、そして
第１の地理的位置とストリートアドレスとの間の第１の地理的対応関係を決定するために、第１の地理的位置と自然または法的人物のためにデータ処理装置に供給されるストリートアドレスとを比較する。
【請求項２】
前記第１の地理的対応は、前記第１の地理的位置と前記ストリートアドレスとの間の地理的近接度の尺度を含む、請求項１に記載のデータ処理装置。
【請求項３】
前記第１の地理的対応が第１の地理的基準を満たすかどうかを決定するようにさらに構成される、請求項１または２に記載のデータ処理装置。
【請求項４】
前記第１の地理的基準を満たす前記第１の地理的対応に関する前記ストリートアドレスの第１の肯定的検証を示すように更に構成される、請求項３に記載のデータ処理装置。
【請求項５】
前記第１の地理的基準は、前記第１の地理的位置とストリートアドレスとが互いに所定距離以内にあることを特徴とする請求項３または４に記載のデータ処理装置。
【請求項６】
前記第１の地理的位置は、地理的局所性を含む、請求項１に記載のデータ処理装置。
【請求項７】
前記第１のアドレスデータは、ジオロケーション装置から供給され、前記ジオロケーション装置の地理的位置を示す請求項１に記載のデータ処理装置。
【請求項８】
前記第１のアドレスデータは、前記第１の通信システムにより前記通信端末の通信開始点に割り当てられたアドレスデータであることを特徴とする請求項１乃至６のいずれかに記載のデータ処理装置。
【請求項９】
請求項８に記載のデータ処理装置において、
第２の通信システムによって割り当てられた第２のアドレスデータがジオロケーション装置の地理的位置を示すジオロケーション装置に入力されることを要求する通信端末のユーザーインターフェースを介して提示するためのメッセージを提供し、
前記第２のアドレスデータを受信し、前記第２のアドレスデータから前記ジオロケーション装置の地理的位置に対応する第２の地理的位置を決定し、そして
ストリートアドレスと第２の地理的位置とを比較して、ストリートアドレスと第２の地理的位置との間の第２の地理的対応を決定する。
【請求項１０】
前記第２の地理的対応は、前記第２の地理的位置と前記ストリートアドレスとの間の地理的近接度の尺度を含む、請求項９に記載のデータ処理装置。
【請求項１１】
前記第２の地理的対応が第２の地理的基準を満たすかどうかを決定するようにさらに構成される、請求項９または１０に記載のデータ処理装置。
【請求項１２】
前記第２の地理的条件を満たす前記第２の地理的対応に関する前記ストリートアドレスの第２の肯定的検証を示すようにさらに構成される、請求項１１に記載のデータ処理装置。
【請求項１３】
前記第２の地理的基準は、前記第２の地理的位置およびストリートアドレスが互いに所定の距離内にあることを含む、請求項１１または１２に記載のデータ処理装置。
【請求項１４】
前記第２の地理的対応および／または前記第２の地理的基準が、それぞれの第１の地理的対応および第１の地理的基準と同じであるようにさらに構成される、請求項９〜１３のいずれか一項に記載のデータ処理装置。
【請求項１５】
前記ジオロケーション装置は、前記ジオロケーション装置のグローバル位置を決定するために衛星システムから信号を受信するように構成されている、請求項１に記載のデータ処理装置。
【請求項１６】
前記第２のアドレスデータは、前記ジオロケーション装置から供給され、前記ジオロケーション装置の地理的位置を示す、請求項９〜１４のいずれかに従属する請求項１５に記載のデータ処理装置。
【請求項１７】
前記第２のアドレスデータは、前記第２のアドレスデータがインスタンス化されたときに対応するタイムスタンプをさらに含み、前記データ処理装置は、
タイムスタンプと、メッセージがユーザインタフェース上での提示のために提供された時間とを比較する、そして
タイムスタンプによって示される時間とメッセージが提供された時間との間の時間差を決定する。
【請求項１８】
前記時間差が予め定められた時間よりも短い場合に前記ストリートアドレスの第３の正の検証を示すようにさらに構成されている、請求項１７に記載のデータ処理装置。
【請求項１９】
前記ジオロケーション装置はカメラを含み、前記第２のアドレスデータは、前記カメラによって取得された画像に対応する画像ファイルに含まれる、請求項９〜１８のいずれか一項に記載のデータ処理装置。
【請求項２０】
請求項１９に記載のデータ処理装置において、
前記第２のアドレスによって定義される位置に対応する１つまたは複数の画像について１つまたは複数のデータベースの検索を開始するステップと、
前記１つまたは複数の画像の少なくとも１つを前記取得された画像と比較して、それらの間の対応レベルを決定し、そして
対応レベルが十分に良好であることのストリートアドレスの４番目の肯定的な検証を示す。
【請求項２１】
請求項１９又は２０に記載のデータ処理装置において、
通信セッションに参加している自然人のイメージを要求するメッセージを提供するステップと、
前記自然人物の名前に対応する１つまたは複数の画像の１つまたは複数のデータベースの検索を開始するステップと、
前記１つ以上の画像の少なくとも１つを前記画像と比較して、それらの間の対応レベルを決定し、そして
対応レベルが十分に高い自然人の身元の５番目の肯定的な検証を示している。
【請求項２２】
請求項１乃至１８のいずれかに記載のデータ処理装置において、
前記通信セッションに参加している自然人の画像を要求する個人画像要求メッセージを提供するステップと、
前記自然人物の名前に対応する１つまたは複数の画像の１つまたは複数のデータベースの検索を開始するステップと、
前記１つ以上の画像の少なくとも１つを前記画像と比較して、それらの間の対応レベルを決定し、そして
対応レベルが十分に高い自然人の身元の６番目の肯定的な検証を示している。
【請求項２３】
前記第１、第２、第３または第４の肯定検証のうちの１つまたは複数に基づいて前記ストリートアドレスの確認された肯定検証を確立するようにさらに構成されている、請求項２０に記載のデータ処理装置。
【請求項２４】
前記第５または第６の肯定的検証に基づいて、前記自然人の確認された肯定的検証を確立するようにさらに構成される、請求項２１または２２に記載のデータ処理装置。
【請求項２５】
法的人物の自然なメタデータの入力を受け付けるように動作する通信端末であって、
第１の通信システムを介してデータ処理装置との通信セッションを確立するステップと、
前記通信端末の地理的位置を定義する第１のアドレスデータを暗号化するステップと、
暗号化された第１アドレスデータをデータ処理装置に送信する。
【請求項２６】
請求項２５に記載の通信端末において、
自然または法人の入力メタデータを暗号化する、
自然人または法人の暗号化された入力メタデータをデータ処理装置に送信する。
【請求項２７】
前記第１のアドレスデータは、前記通信端末の地理的位置を規定する、請求項２５または２６に記載の通信端末。
【請求項２８】
前記第１のアドレスデータは、前記第１のアドレスデータがインスタンス化されたときに対応する第１のタイムスタンプをさらに含み、前記通信端末はさらに、
最初のタイムスタンプを暗号化する、そして
暗号化された第１のタイムスタンプデータをデータ処理装置に送信する。
【請求項２９】
前記第１のアドレスデータは、ジオロケーション装置から供給され、前記ジオロケーション装置の前記地理的位置を示す、請求項２５〜２８のいずれか一項に記載の通信端末。
【請求項３０】
前記第１のアドレスデータは、前記第１の通信システムによる前記通信端末の通信開始点に割り当てられたアドレスデータである、請求項２５〜２９のいずれか一項に記載の通信端末。
【請求項３１】
請求項３０に記載の通信端末において、
第２の通信システムによって割り当てられた第２のアドレスデータを、地上位置装置の地理的位置を示す地上位置装置に受信するステップと、
前記第２のアドレスデータを暗号化し、
暗号化された第２のアドレスデータをデータ処理装置に送信する。
【請求項３２】
前記第２のアドレスデータは、ジオロケーションデータを含む、請求項３１に記載の通信端末。
【請求項３３】
前記第２のアドレスデータは、前記第２のアドレスデータがインスタンス化されたときに対応する第２のタイムスタンプをさらに含み、前記通信端末は、
第２のタイムスタンプを暗号化する、
暗号化された第２のタイムスタンプデータをデータ処理装置に送信する。
【請求項３４】
カメラをさらに備え、前記通信端末は、前記カメラによって取り込まれた画像に対応する画像ファイルに前記第２のアドレスデータおよび第３のタイムスタンプを含むように構成され、前記第２のアドレスデータおよび前記第３のタイムスタンプは、画像がカメラによって捕捉された時に対応する第３のタイムスタンプ。
【請求項３５】
請求項３４に記載の通信端末であって、さらに、
第３のタイムスタンプを暗号化する、
イメージファイルを暗号化する、
暗号化された第３のタイムスタンプデータ及び暗号化画像ファイルデータをデータ処理装置に送信する。
【請求項３６】
請求項２５〜２９のいずれかに記載の通信端末であって、
画像ファイルを受信する、
イメージファイルを暗号化する、
暗号化された画像ファイルデータをデータ処理装置に送信する。
【請求項３７】
自然または法人のメタデータを自動的に検証するシステムであって、
請求項１乃至２４のいずれかに記載のデータ処理装置と、そして
請求項２５乃至３６のいずれか一項に記載の通信端末。
【請求項３８】
前記データ処理装置に提出された自然人または法人のメタデータを自動的に検証するように動作するデータ処理装置を操作する方法であって、
第１の通信システムを介して通信端末と通信セッションを確立するステップと、
前記通信端末の地理的位置を定義する第１のアドレスデータを前記通信端末から受信するステップと、
前記第１のアドレスデータから前記通信端末のための第１の地理的位置を導出するステップと、そして
前記第１の地理的位置と前記ストリートアドレスとの間の第１の地理的対応関係を決定するために、前記第１の地理的位置と前記自然または法的人物の前記データ処理装置に供給されるストリートアドレスとを比較するステップと、を含む方法。
【請求項３９】
前記第１の地理的対応は、前記第１の地理的位置と前記ストリートアドレスとの間の地理的近接度の尺度を含む、請求項３８に記載の方法。
【請求項４０】
前記第１の地理的対応が第１の地理的基準を満たすかどうかを決定することをさらに含む、請求項３８または３９に記載の方法。
【請求項４１】
前記第１の地理的基準を満たす前記第１の地理的対応に関する前記ストリートアドレスの第１の肯定的検証を示すことをさらに含む、請求項４０に記載の方法。
【請求項４２】
前記第１の地理的基準は、前記第１の地理的位置およびストリートアドレスが互いに所定の距離内にあることを含む、請求項４０または４１に記載の方法。
【請求項４３】
前記第１の地理的位置は、地理的局所性を含む、請求項３８〜４２のいずれか一項に記載の方法。
【請求項４４】
前記第１のアドレスデータは、ジオロケーション装置から供給され、前記ジオロケーション装置の前記地理的位置を示す、請求項３８〜４３のいずれか一項に記載の方法。
【請求項４５】
前記第１のアドレスデータは、前記第１の通信システムによる前記通信端末の通信発信点に割り当てられたアドレスデータである、請求項３８〜４３のいずれかに記載の方法。
【請求項４６】
請求項４５に記載の方法において、
第２の通信システムによって割り当てられた第２のアドレスデータの入力を要求する前記通信端末のユーザインタフェースを介して提示するためのメッセージを提供するステップと、
前記第２アドレスデータを受信し、前記第２アドレスデータから前記ジオロケーション装置の地理的位置に対応する第２地理的位置を決定するステップと、そして
ストリートアドレスと第２の地理的位置とを比較して、ストリートアドレスと第２の地理的位置との間の第２の地理的対応を決定する。
【請求項４７】
前記第２の地理的対応は、前記第２の地理的位置と前記ストリートアドレスとの間の地理的近接度の尺度を含む、請求項４６に記載の方法。
【請求項４８】
前記第２の地理的対応が第２の地理的基準を満たすかどうかを決定することをさらに含む、請求項４６または４７に記載の方法。
【請求項４９】
前記第２の地理的条件を満たす前記第２の地理的対応に関する前記ストリートアドレスの第２の肯定的検証を示すことをさらに含む、請求項４８に記載の方法。
【請求項５０】
前記第２の地理的基準は、前記第２の地理的位置とストリートアドレスが互いに所定の距離内にあることを含む、請求項４８または４９に記載の方法。
【請求項５１】
前記第２の地理的対応および／または前記第２の地理的基準が、それぞれ第１の地理的対応および第１の地理的基準と同じであることをさらに含む、請求項４６〜５０のいずれか一項に記載の方法。
【請求項５２】
前記ジオロケーション装置は、前記ジオロケーション装置のグローバル位置を決定するために衛星システムから信号を受信するように構成されている、請求項３８〜５１のいずれか一項に記載の方法。
【請求項５３】
前記第２のアドレスデータは、前記ジオロケーション装置から供給され、前記ジオロケーション装置の前記地理的位置を示す、請求項４６〜５１のいずれかに従属する請求項５２に記載の方法。
【請求項５４】
前記第２のアドレスデータは、前記第２のアドレスデータがインスタンス化されたときに対応するタイムスタンプをさらに含み、前記方法は、
前記タイムスタンプを、前記メッセージが前記ユーザインタフェース上に提示するために提供された時間と比較するステップと、そして
タイムスタンプによって示される時間とメッセージが提供された時間との間の時間差を決定することを含む。
【請求項５５】
請求項５４に記載の方法であって、前記時間差が予め定められた時間よりも短い場合に前記ストリートアドレスの第３の正の検証を指示するステップをさらに含む方法。
【請求項５６】
前記ジオロケーション装置はカメラを備え、前記第２のアドレスデータは、前記カメラによって取り込まれた画像に対応する画像ファイルに含まれる、請求項４６〜５５のいずれか一項に記載の方法。
【請求項５７】
請求項５６に記載の方法であって、
前記第２のアドレスによって定義される位置に対応する１つまたは複数の画像の１つまたは複数のデータベースの検索を開始するステップと、
前記１つまたは複数の画像の少なくとも１つを前記取得された画像と比較して、それらの間の対応レベルを決定するステップと、そして
対応レベルが十分に良好であることを示すストリートアドレスの４番目の肯定的な検証を示す。
【請求項５８】
請求項５６または５７に記載の方法であって、
通信セッションに参加している自然人の画像の要求をメッセージに提供するステップと、
前記自然人物の名前に対応する１つまたは複数の画像の１つまたは複数のデータベースの検索を開始するステップと、
前記１つまたは複数の画像の少なくとも１つを前記画像と比較して、それらの間の対応レベルを決定するステップと、そして
これは、対応レベルが十分に高いために自然人の身元が５番目に肯定的であることを示しています。
【請求項５９】
請求項３８〜５５のいずれか一項に記載の方法であって、
前記通信セッションに関与する自然人の画像を要求する個人画像要求メッセージを提供するステップと、
前記自然人物の名前に対応する１つまたは複数の画像の１つまたは複数のデータベースの検索を開始するステップと、
前記１つまたは複数の画像の少なくとも１つを前記画像と比較して、それらの間の対応レベルを決定するステップと、そして
対応レベルが十分に高い自然人の身元の第六の肯定的な検証を示している。
【請求項６０】
前記第１、第２、第３および第４の肯定的検証のうちの１つまたは複数に基づいて、前記ストリートアドレスの確認された肯定的検証を確立するステップをさらに含む、請求項５７に記載の方法。
【請求項６１】
前記第５または第６の肯定的検証に基づいて、前記自然人の確認された肯定的検証を確立するステップをさらに含む、請求項５８または５９に記載の方法。
【請求項６２】
法的人物の自然なメタデータの入力を受信するために通信端末を操作する方法であって、
第１の通信システムを介してデータ処理装置との通信セッションを確立するステップと、
前記通信端末の地理的位置を定義する第１のアドレスデータを暗号化するステップと、
暗号化された第１のアドレスデータをデータ処理装置に送信するステップとを含む。
【請求項６３】
請求項６２に記載の方法であって、
自然または法人の入力メタデータを暗号化する、
本人または法人の暗号化された入力メタデータをデータ処理装置に送信する。
【請求項６４】
前記第１のアドレスデータは、前記通信端末の地理的位置を規定する、請求項６２または６３に記載の方法。
【請求項６５】
前記第１のアドレスデータは、前記第１のアドレスデータがインスタンス化されたときに対応する第１のタイムスタンプをさらに含み、前記方法は、
第１のタイムスタンプを暗号化する、そして
暗号化された第１のタイムスタンプデータをデータ処理装置に送信する。
【請求項６６】
前記第１のアドレスデータは、ジオロケーション装置から供給され、前記ジオロケーション装置の前記地理的位置を示す請求項６２〜６５のいずれか一項に記載の方法。
【請求項６７】
前記第１のアドレスデータは、前記第１の通信システムによる前記通信端末の通信発信ポイントに割り当てられたアドレスデータである、請求項６２から６６のいずれか一項に記載の方法。
【請求項６８】
請求項６７に記載の方法であって、
第２の通信システムによって割り当てられた第２のアドレスデータを、地理的位置情報装置の地理的位置を示す地理情報装置に受信するステップと、
前記第２のアドレスデータを暗号化するステップと、
暗号化された第２のアドレスデータをデータ処理装置に送信するステップとを含む。
【請求項６９】
前記第２のアドレスデータは、ジオロケーションデータを含む、請求項６８に記載の方法。
【請求項７０】
前記第２のアドレスデータは、前記第２のアドレスデータがインスタンス化されたときに対応する第２のタイムスタンプをさらに含み、前記方法は、
第２のタイムスタンプを暗号化する、
暗号化された第２のタイムスタンプデータをデータ処理装置に送信する。
【請求項７１】
カメラをさらに備え、前記方法は、前記カメラによって取り込まれた画像に対応する画像ファイル内に前記第２のアドレスデータおよび第３のタイムスタンプを含むことを含み、前記第３のタイムスタンプは、画像がカメラによって捕捉されたときまでの時間である。
【請求項７２】
請求項７１に記載の方法であって、
前記第３のタイムスタンプを暗号化するステップと、
画像ファイルを暗号化する、
暗号化された第３のタイムスタンプデータ及び暗号化された画像ファイルデータをデータ処理装置に送信する。
【請求項７３】
請求項６２〜７０のいずれか一項に記載の方法であって、
画像ファイルを受信するステップと、
画像ファイルを暗号化する、
暗号化された画像ファイルデータをデータ処理装置に送信する。
【発明の詳細な説明】
【技術分野】
【０００１】
本発明は、自然人または法人のメタデータを検証するためのデータ処理装置、システムおよび方法に関する。特に、排他的ではなく、自然人または法人の身元証明のためのメタデータを検証する。
【背景技術】
【０００２】
アイデンティティプルーフィングと検証（ＩＰＶ）は、銀行サービスなどの金融サービスや、エンティティの個人データやその他のデータ（メタデータ）をそのエンティティに利用するための重要な側面です。そのようなエンティティは、自然人、すなわち実在の人間、または法人、すなわち事業体（個人法人）または政府機関（公的法人）である。以下において、「人」という用語は、文脈上別段の要求がない限り、自然人または法人を意味するものとします。英国（ＵＫ）のガイドラインは、ＣＥＳＧが共同で発行した「Ｇｏｏｄ  Ｐｒａｃｔｉｃｅ  Ｇｕｉｄｅ  Ｎｏ．４５、個人の身元証明と検証」、発行番号：２．３、２０１４年７月政府保証デジタルサービス、情報保証および内閣府庁。
【０００３】
概要は、ＩＰＶが正当な人物の身元を比較的容易に証明することを可能にするべきだが、他人として身を奪われようとする人にとって、ＩＰＶが難しいことを指針は示唆している。これには、個人が自分の主張した身元を述べ、その主張された身元を証明する証拠を提示する必要があります。ガイドラインは、証拠が「有効かつ／または実施可能であり、個人に属していることが確認されている」ことを示唆している。
【０００４】
証拠は伝統的に個人または郵便で提供されており、身分証明書を所持している人の出生証明書および／またはパスポートの認証されたコピーと、住居として請求されている住所を持つ最近の公共料金のコピーから成っています。法人の場合は、出生証明書やパスポートの代わりに設立証明書を提出することができます。しばしば「ｅビジネス」と呼ばれるインターネットベースのビジネスの台頭に伴い、ビジネスエンティティのインターネット通信システムとのインターネットセッションを確立している人が頻繁にアイデンティティを要求しています。これには、郵便事業のような従来のルートを通じてビジネスエンティティに提供される伝統的な証拠を提供すること、または電子メールまたはインターネットセッションを通じてそのような文書のコピーをアップロードすることが含まれる。典型的には、身元を主張する者は、ビジネスエンティティのインターネット通信システムによって提供されたウェブページフォームに身元を証明している人の名前、生年月日、ストリートアドレスを、通信端末に入力する必要があります。インターネットセッションが確立されました。インターネットを介して入力された詳細は、伝統的な証拠によって確認されるかもしれないが、そのような確認は人間の介入を必要とし、ＩＰＶプロセスに著しい遅延を招く可能性がある。
【０００５】
人の身体的存在は、一般に、その人の住居または住居（例えば、自宅の住所または事務所の建物）によって定義することができる。現在、その人の身体的存在の確認は、特定の住所に居住していると主張することができることを示す人物によって提供される文書、すなわち身元証明書を参照して行われます。例えば、最近のカウンシル税申告書、自動車保険または住宅保険証書、その人に発行された政府所得税通知、最近の銀行、建築協会、または信用組合声明、または最近の公益法案。
【０００６】
特定の住所にある人物にインタビューすることによって、実際に居住している住所であることをより確かめることができます。これはそこに住居または住居を示唆している。しかし、最も敏感な環境を除くすべての環境では、これはコスト効率が悪く、プロセスが長すぎる可能性があります。
【０００７】
本発明の態様および実施形態は、上記を考慮して考案された。
【発明の概要】
【発明が解決しようとする課題】
【０００８】
第１の態様から見ると、データ処理装置に提出された自然人または法人のメタデータを自動的に検証するように動作可能なデータ処理装置が提供され、データ処理装置は、
第１の通信システムを介して通信端末との通信セッションを確立するステップと、
前記通信端末の地理的位置を規定する第１のアドレスデータを前記通信端末から受信し、
前記第１のアドレスデータから前記通信端末のための第１の地理的位置を導き出すステップと、そして
第１の地理的位置とストリートアドレスとの間の第１の地理的対応関係を決定するために、第１の地理的位置と自然または法的人物のためにデータ処理装置に供給されるストリートアドレスとを比較する。
【０００９】
第２の態様から見ると、データ処理装置に提出された自然人または法人のメタデータを自動的に検証するように動作するデータ処理装置を操作する方法であって、
第１の通信システムを介して通信端末と通信セッションを確立するステップと、
前記通信端末の地理的位置を定義する第１のアドレスデータを前記通信端末から受信するステップと、
前記第１のアドレスデータから前記通信端末のための第１の地理的位置を導出するステップと、そして
前記第１の地理的位置と前記ストリートアドレスとの間の第１の地理的対応関係を決定するために、前記第１の地理的位置と前記自然または法的人物の前記データ処理装置に供給されるストリートアドレスとを比較する。
【００１０】
第１のアドレスデータは、ネットワークアドレスであってもよい。ＰＣ、ラップトップ、タブレットまたは他のネットワーク接続の通信装置であってもよい、通信端末に接続されたルータまたは他のネットワークインターフェイスのためのＩＰアドレス。第１のアドレスデータは、セルラ通信システムを使用する電話機のためのセルマストまたは通信に関与した直後または直ちにユーザの位置に対応するＧＰＳデータであってもよい。
【課題を解決するための手段】
【００１１】
一実施形態では、第１の地理的対応は、第１の地理的位置とストリートアドレスとの間の地理的近接度の尺度を含む。これは、住居の権利を有する者がその住居から通信端末を使用している可能性があるため、その人が提供するストリートアドレスに対応する地理的場所から通信端末が使用されていることを確認することである。この１つまたは複数の他の実施形態は、第１の地理的対応が第１の地理的位置およびストリートアドレスが相互の所定の距離内にあるような第１の地理的基準および／または地理的局所性を含む第１の地理的位置郵便番号、英国郵便番号または他の郵便住所コードによって定義されてもよい。
【００１２】
典型的には、実施形態は、第１の地理的基準を満たす第１の地理的対応に関するストリートアドレスの第１の肯定的検証を示す。
一実施形態では、第１のアドレスデータは、ジオロケーション装置から供給され、ジオロケーション装置の地理的位置を示す。このような配置は、地理的位置の表示を提供するための人の制御とは独立した他の適切な技術システムがない場合に有用である。
【００１３】
任意選択的に、第１のアドレスデータは、第１の通信システムによる通信端末のための通信発信点に割り当てられたアドレスデータである。インターネットを使用する通信セッションの場合、発信地点は、端末装置またはそれがインターネットにアクセスする際の機器のＩＰアドレスであってもよい。これは、ＩＰアドレスとそのアドレスに割り当てられた機器の地理的位置との間に対応がある場合に、その人が使用する通信端末の地理的位置を、人とは独立して識別する便利な方法である。
【００１４】
ＩＰアドレスを利用する実施形態は、第２の通信システムによって割り当てられた第２のアドレスデータの入力をジオロケーション装置の地理的位置を示すジオロケーション装置に要求する通信端末のユーザインターフェースを介して提示するためのメッセージを提供することができる。前記第２のアドレスデータを受信し、前記第２のアドレスデータから前記ジオロケーション装置の地理的位置に対応する第２の地理的位置を決定し、ストリートアドレスと第２の地理的位置とを比較して、ストリートアドレスと第２の地理的位置との間の第２の地理的対応を決定する。そのような実施形態は、通信端末の地理的位置または少なくとも通信端末を使用する人の位置のさらなる確認を提供することができる。
【００１５】
適切には、第２の地理的対応は、第２の地理的位置とストリートアドレスとの間の地理的近接度の尺度、および／または第２の地理的基準を含む。
【００１６】
典型的には、このような実施形態は、第２の地理的条件を満足する第２の地理的対応に関するストリートアドレスの第２の正の検証、一般に、必ずしもそうとは限らないが、第２の地理的対応および／または第２の地理的基準は、それぞれの第１の地理的対応および第１の地理的基準と同じである。
【００１７】
典型的には、ジオロケーション装置は、全地球測位システム（ＧＰＳ）、ＧＬＯＮＡＳＳまたは欧州連合ガリレオシステムなどの地球測位装置のグローバル位置を決定するために衛星システムから信号を受信するように構成される。
【００１８】
衛星システムから信号を受信するように構成されたジオロケーション装置を使用する実施形態では、第２のアドレスデータがジオロケーション装置から供給され、ジオロケーション装置の地理的位置を示す。
【００１９】
典型的には、第２のアドレスデータは、第２のアドレスデータがインスタンス化されたときに対応するタイムスタンプをさらに含み、タイムスタンプは、メッセージがユーザインタフェース上で提示のために提供された時間と比較される。タイムスタンプによって示される時間とメッセージが提供された時間との間の時間差が決定される。適切には、タイムスタンプは日付を含む。そのような実施形態は、典型的には、時間差が予め定められた時間よりも短い場合のストリートアドレスの第３の肯定的な検証を示す。
【００２０】
１つまたは複数の実施形態では、ジオロケーション装置はカメラを備え、第２のアドレスデータは、カメラによって取り込まれた画像に対応する画像ファイルに含まれる。そのような画像ファイルは、通常、日時情報を含むので、グローバル測位可能カメラは、ジオロケーションデータを提供するのに便利な装置である。
実施形態は、第２のアドレスによって定義された位置に対応する１つ以上の画像について１つ以上のデータベースの検索を開始することができる。前記１つまたは複数の画像の少なくとも１つを前記取得された画像と比較して、それらの間の対応レベルを決定し、対応レベルが十分に高いことを示すストリートアドレスの４番目の肯定的な検証を示す。典型的には、数値が導出され、閾値レベルが予め規定され、決定された対応レベルが閾値レベルを超える場合、肯定的な検証が示され得る。
【００２１】
１つ以上の実施形態は、通信セッションに関与する自然人の画像の要求をメッセージに提供することができる。前記自然人物の名前に対応する１つまたは複数の画像の１つまたは複数のデータベースの検索を開始するステップと、前記１つ以上の画像の少なくとも１つを前記画像と比較して、それらの間の対応レベルを決定し、対応のレベルが十分に高いために自然人の身元の第５の肯定的な検証を示す。
【００２２】
地理的位置検出カメラが地理的位置を決定するために使用されない実施形態はまた、通信セッションに関与する自然人の画像を要求する個人画像要求メッセージを提供することができる。前記自然人物の名前に対応する１つまたは複数の画像の１つまたは複数のデータベースの検索を開始するステップと、前記１つ以上の画像の少なくとも１つを前記画像と比較して、それらの間の対応レベルを決定し、対応レベルが十分に高い自然人のアイデンティティの第六の肯定的検証を示す。
【００２３】
人物の画像を利用する実施形態は、ソーシャルネットワーキングサイトおよび／またはインターネットおよびワールドワイドウェブから入手可能な情報のような、個人とは独立した情報源からの個人のアイデンティティのさらなる検証を提供することができる。そのようなアプローチは、アイデンティティ検証の「クラウドソーシング」の一形態と考えることができる。
【００２４】
１つ以上の実施形態は、第１、第２、第３または第４の正の検証のうちの１つまたは複数に基づいて、ストリートアドレスの確認された正の検証を確立し、および／または第５または第６の正の検証に基づいて、自然人の確認された正の検証を確立する。
【００２５】
第３の態様から見ると、法人の自然のメタデータの入力を受信するように動作する通信端末であって、
第１の通信システムを介してデータ処理装置との通信セッションを確立するステップと、
前記通信端末の地理的位置を定義する第１のアドレスデータを暗号化するステップと、
暗号化された第１アドレスデータをデータ処理装置に送信する。
【００２６】
第４の態様から見ると、法人の自然のメタデータの入力を受信するための通信端末を操作する方法であって、第１の通信システムを介してデータ処理装置との通信セッションを確立するステップと、前記通信端末の地理的位置を定義する第１のアドレスデータを暗号化するステップと、暗号化された第１のアドレスデータをデータ処理装置に送信するステップとを含む。
【００２７】
第３および第４の態様による実施形態は、通信端末上で実行されるアプリケーションを提供し、通信端末から供給されるデータの制御、セキュリティおよび信頼性を向上させることができる。
【００２８】
通信端末の少なくとも１つの実施形態は、自然人または法人の入力メタデータを暗号化する。自然人または法人の暗号化された入力メタデータをデータ処理装置に送信する。このようにして、権限のない人による干渉からメタデータを保護することができる。
【００２９】
１つまたは複数の実施形態では、第１のアドレスデータは、通信端末の地理的位置を定義する。適切には、第１のアドレスデータは、第１のアドレスデータがインスタンス化されたときに対応する第１のタイムスタンプと、第１のタイムスタンプは暗号化され、暗号化された第１のタイムスタンプデータはデータ処理装置に送信される。
【００３０】
適切には、第１のアドレスデータは、ジオロケーション装置から供給され、ジオロケーション装置の地理的位置を示す。
【００３１】
任意選択的に、第１のアドレスデータは、第１の通信システムによる通信端末のための通信発信点に割り当てられたアドレスデータである。
【００３２】
１つ以上の実施形態は、第２の通信システムによって割り当てられた第２のアドレスデータを、ジオロケーション装置のジオロケーションを示すジオロケーション装置に受信することができる。前記第２のアドレスデータを暗号化し、暗号化された第２のアドレスデータをデータ処理装置に送信する。
【００３３】
典型的には、第２のアドレスデータは、衛星システムから得ることができるような例えばＧＰＳ、ＧＬＯＮＡＳＳ、および／またはＧＡＬＩＬＥＯといったジオロケーションデータを含む。
【００３４】
１つまたは複数の実施形態では、第２のアドレスデータは、第２のアドレスデータがインスタンス化されたときに対応する第２のタイムスタンプをさらに含み、第２のタイムスタンプは暗号化され、データ処理装置に送信される。
【００３５】
一実施形態では、通信端末は、カメラを含むことができ、通信端末は、カメラによって取り込まれた画像に対応する画像ファイル内に第２のアドレスデータおよび第３のタイムスタンプを含むように構成され、カメラで撮影されました。
【００３６】
一実施形態では、通信端末は、さらに、第３のタイムスタンプを暗号化し、イメージファイルを暗号化する。暗号化された第３のタイムスタンプデータ及び暗号化画像ファイルデータをデータ処理装置に送信する。ある実施形態は、さらに、画像ファイルを受信し、イメージファイルを暗号化する。暗号化された画像ファイルデータをデータ処理装置に送信する。
【００３７】
第５の態様から見ると、自然または法人のメタデータを自動的に検証するシステムであって、データ処理装置と、上記に開示された通信端末とを含むシステムが開示される。
【００３８】
本発明の態様による１つまたは複数の特定の実施形態を、単なる例として、および以下の図面を参照して説明する。
【図面の簡単な説明】
【００３９】
【図１】本発明の１つ以上の実施形態による装置を含むシステムの概要を概略的に示す図である。
【図２】本発明の１つ以上の実施形態によるサーバのクラスタを概略的に示す図である。
【図３】本発明の１つ以上の実施形態によるサーバのクラスタのアプリケーションサーバを概略的に示す図である。
【図４】本発明の１つまたは複数の実施形態による、システム上のユーザ登録プロセスの第１の部分のプロセスフロー制御図を概略的に示す図である。
【図５】本発明の１つまたは複数の実施形態による、システム上のユーザ登録プロセスの第１の部分で使用されるユーザの詳細を入力するためのユーザインタフェースを概略的に示す図である。
【図６】本発明の１つまたは複数の実施形態による、システム上のユーザ電子メールアカウントおよび携帯電話番号の検証のためのプロセスフロー制御図を概略的に示す図である。
【図７】本発明の１つまたは複数の実施形態による、システム上のユーザ電子メールアカウントおよび携帯電話番号検証プロセスで使用されるコードを入力するためのユーザインターフェースを概略的に示す図である。
【図８】本発明の１つまたは複数の実施形態による、システム上のユーザ登録プロセスの第２部分のプロセスフロー制御図を概略的に示す図である。
【図９ａ】本発明の１つまたは複数の実施形態による、システム上のユーザ登録プロセスの第２の部分で使用される詳細を入力するためのユーザインタフェースを概略的に示す図である。
【図９ｂ】アカウントアプリケーションプロセスの開始に先立ってアカウントアプリケーションプロセスへのエントリを開始するためのユーザインタフェースを概略的に示す図である。
【図１０ａ】本発明の１つまたは複数の実施形態によるシステム上のアカウントアプリケーションプロセスの第１の部分のプロセスフロー制御図を概略的に示す図である。
【図１０ｂ】本発明の１つまたは複数の実施形態によるシステム上のアカウントアプリケーションプロセスの第１の部分のプロセスフロー制御図を概略的に示す図である。
【図１１】本発明の１つまたは複数の実施形態による、システム上の口座申請プロセスの第１の部分で使用される詳細を入力するためのユーザインターフェースを概略的に示す図である。
【図１２】本発明の１つまたは複数の実施形態による、システム上のアカウントアプリケーションプロセスの第２の部分のプロセスフロー制御図を概略的に示す図である。
【図１３】本発明の１つまたは複数の実施形態による、システム上のアカウントアプリケーションプロセスの第２の部分で使用される詳細を入力するためのユーザインタフェースを概略的に示す図である。
【図１４ａ】本発明の１つ以上の実施形態によるシステム上のアカウントアプリケーション承認プロセスのプロセスフロー制御図を概略的に示す。
【図１４ｂ】本発明の１つ以上の実施形態によるシステム上のアカウントアプリケーション承認プロセスのプロセスフロー制御図を概略的に示す。
【図１４ｃ】本発明の１つ以上の実施形態によるシステム上のアカウントアプリケーション承認プロセスのプロセスフロー制御図を概略的に示す。
【図１５】本発明の１つまたは複数の実施形態によるシステム上の口座申請承認プロセスのオプション部分のプロセスフロー制御図を概略的に示す。
【図１６】本発明の１つまたは複数の実施形態によるシステム上の口座申請承認プロセスの任意の部分のプロセスフロー制御図を概略的に示す。
【発明を実施するための形態】
【００４０】
次に、図１を参照して、本発明の１つ以上の実施形態による装置を備えるシステムの概要を説明する。
【００４１】
システム１００は、第１のコンピュータ１０２Ａ、第２のコンピュータ１０２Ｂ、すなわち通信端末、サーバクラスタ１０４、データストア１０６、通信プロバイダ１０８、および地域インターネットレジストリ１１０を備える。第１のコンピュータ１０２Ａおよび第２のコンピュータ１０２Ｂは、通信ネットワーク１１２（例えば、インターネットおよび／または別の通信媒体またはシステム）を使用して、サーバのクラスタ１０４およびデータストア１０６と通信することができる。
【００４２】
第１および第２のコンピュータ１０２Ａおよび１０２Ｂはそれぞれ、アプリケーションプログラム１１６Ａおよび１１６Ｂならびにウェブブラウザ１１８Ａおよび１１８Ｂを実装するようにプロセッサを構成するプログラムコードを実行するように動作するプロセッサ１１４Ａおよび１１４Ｂを備える。１つまたは両方のコンピュータ１０２Ａおよび１０２Ｂは、例えば、スマートフォン、タブレットまたはラップトップコンピュータ、またはデスクトップコンピュータなどのモバイルコンピューティングデバイスとすることができる。サーバのクラスタ１０４と通信することができる任意の他のタイプのコンピューティングデバイスを使用することもできる。一方または両方のコンピュータ１０２Ａおよび１０２Ｂは、サーバ１０４のクラスタと通信するためにインターネットまたは他の通信アクセスポイントと無線で通信するが、他のタイプの通信媒体、例えば光ファイバまたはツイストペア銅ワイヤは、本明細書に開示される主題の範囲外にステップすることなく使用され得る。
【００４３】
アプリケーションプログラム１１６Ａおよび１１６Ｂは、第１および第２のコンピュータ１０２Ａおよび１０２Ｂ上で実行されると、出力をユーザに提供し、ユーザがシステム１００への入力を入力するためのインタフェースを提供するルーチンを含む。
【００４４】
地域インターネットレジストリ１１０は、定義された地域内でインターネットプロトコル（ＩＰ）アドレス空間および自律システム（ＡＳ）番号を管理および登録する１つまたは複数の組織を含む。
【００４５】
サーバクラスタ１０４のアーキテクチャは、図２に概略的に示されており、ウェブインタフェース１２２および／またはＳＭＳインタフェース１２３と通信するように動作するウェブサーバ１２０を備え、第１および第２のコンピュータ１０２Ａおよび１０２Ｂとクラスタサーバ１０４のクラスタはまた、ウェブサーバ１２０からの要求に応答して命令を実行し、ウェブサーバ１２０からの要求に応答して命令を実行するように動作するアプリケーションサーバ１２６を含む。ＡＰＩインターフェース１２４を介したアプリケーションプログラムインターフェース（ＡＰＩ）のライブラリ、およびデータベース１３２内のデータの編成、格納、検索、セキュリティおよび完全性を制御するように動作するデータベース管理システム（ＤＭＳ）１３０を含むデータベースサーバ１２８を含む。１３０は、アプリケーションサーバ１２６からの要求に応答して、データベース１３２内のデータを編集し記憶するようにさらに動作する。アプリケーションサーバ１２６およびデータバｓｅサーバ１２８は、それぞれ、ストレージ１３６からデータを検索するように動作する。データベースサーバ１２８は、例えば、データベースサーバ１２８とアプリケーションサーバ１２６との間で通信するためのデータベースインタフェース１３８も備える。データストレージ１３６は、データベース１３２の一部として格納されたデータ、すなわちリレーショナルデータベース、およびアプリケーションサーバ１２６によって直接アクセスされるフラットファイルフォーマットで構造化されたデータを含むことができる。
【００４６】
図２は、サーバ１０４のクラスタ内のストレージ１３６を示しているが、ストレージ１３６は、サーバのクラスタの外に存在してもよく、および／またはサーバのクラスタ１０４を含むサーバのいずれか１つまたは他の一部であってもよい。
【００４７】
アプリケーションサーバ１２６は、アプリケーションインタフェース１４０を介してウェブサーバ１２０およびデータベースサーバ１２８からの要求に応答するように動作する。アプリケーションサーバ１２６は、複数のモジュール１４４に対する命令を実行するように動作するプロセッサ１４２を含む。アプリケーションプログラム１１６Ａおよび１１６Ｂの機能の側面。アプリケーションサーバ１２６は、通信プロバイダ１０８およびデータストア１０６に要求を行うことを可能にするＡＰＩの集合を含むＡＰＩインタフェース１２４を介してＡＰＩライブラリを呼び出すように動作する．ＡＰＩインタフェース１２４は、クラスタ図１に示すシステム１００にデータを提供するサーバ１０４および第三者の情報を含む。
【００４８】
ウェブサーバ１２０は、第１のコンピュータ１０２Ａおよび／または第２のコンピュータ１０２Ｂで表示するために、動的に生成されたウェブ文書の形でコンテンツを構成してコンピュータ１０２Ａおよび１０２Ｂに配信するように動作する。ウェブ文書は、コンピュータ１０２Ａおよび１０２Ｂでユーザ入力を受信するように動作するユーザ入力領域を含むことができ、テキスト出力を含むこともできる。ウェブ文書はまた、文書および画像のような文書内の異なるコンテンツソースに対応するフレームを収容するために複数のフレームを含むことができる。いくつかのウェブ文書は、記憶装置１３６のテンプレート形式で格納されてもよい。ウェブ文書のテンプレートは、ウェブ・サーバによって構成されるテキスト・フィールドおよび入力領域を含むことができる。
【００４９】
データベースサーバ１２８は、データベース１３２のためのデータベース管理システム（ＤＭＳ）１３０を形成するルーチンのための命令を実行するように動作する．ＤＭＳ１３０は、データベース１３２内のデータの編成、格納、検索、セキュリティおよび完全性を制御するように動作する。ＤＭＳ１３０は、アプリケーションサーバ１２６からの要求に応答して、データベース１３２内のデータを編集し記憶するようにさらに動作する。
【００５０】
データストア１０６は、ＡＰＩ１１７を使用するか、またはサーバのクラスタ１０４への直接応答を用いて、サーバ１０４のクラスタから要求を受信するように動作する。データストア１０６は、アイテムが格納されるストレージ１１９を含む。データストア１０６のＡＰＩ１１７は、データストア１０６に格納されたデータを管理し、そのアクセスを制御し、データストア１０６と要求ＡＰＩとの間の要求およびデータを通信するための多数のデータストア１０６サービスへのアクセスを提供することができるデータストア１０６は、サーバ１０４のクラスタからの要求の受信に応答して、サーバのクラスタ１０４と通信するためのＡＰＩ１１７を使用して要求に応答するように動作する。
【００５１】
通信プロバイダ１０８は、サーバクラスタ１０４のＡＰＩから要求を受信し、その要求の受信に応じて通信を生成し、通信に関する詳細を記録し、これらの詳細をサーバクラスタ１０４に返送するように動作する。通信プロバイダ１０８は、例えば、電子メールサービス、電話サービスまたはインスタントメッセージングサービスを提供することができる。
【００５２】
図３は、図２のアプリケーションサーバ１２６をより詳細に示す。プロセッサ１４２は、以下のモジュールを実施する命令を実行するように動作する。
・ユーザインタフェースモジュール１４５
・登録者データルールモジュール１４６
・登録者アプリケーションステータスモジュール１４８
・インターネットプロトコル（ＩＰ）アドレス抽出モジュール１５０
・全地球測位システム（ＧＰＳ）データ抽出モジュール１５１
・光学式文字認識（ＯＣＲ）モジュール１５２
・登録者アドレス抽出モジュール１５４
・登録者が提出した物理アドレス抽出モジュール１５６
・登録者アドレスコンパレータモジュール１５８
・登録者名抽出モジュール１６０
・登録者が提出した名前抽出モジュール１６２
・登録者名比較モジュール１６４
・画像ファイル抽出モジュール１６６
・画像検索モジュール１６８
・画像比較モジュール１７０
・提出画像有効性モジュール１７１
・登録者リスク評価モジュール１７２
【００５３】
これらのモジュールとその機能については、後で詳しく説明します。
【００５４】
上述の１つ以上の実施形態では、システム１００を使用する前に、ユーザはシステムに登録してシステム内にプレゼンスを確立する。システム上のユーザ登録プロセスの第１の部分は、図４に示すプロセスフロー制御図を用いて説明される。
【００５５】
最初に、ユーザ（または登録者）は、ＤＭＳ１３０を介してデータベース１３２に登録することによってシステム１００内にプレゼンスを確立する。システムに登録するユーザは、サーバ１０４のクラスタとの通信を確立し、ユーザデータをサーバのクラスタに送信する。新しいユーザは、第１または第２のコンピュータ１０２Ａおよび１０２Ｂに表示されたユーザインタフェースを使用して、サーバとの通信を確立する。ユーザインタフェースは、汎用アプリケーションストアからダウンロードすることができる第１または第２のコンピュータ１０２Ａおよび１０２Ｂまたはアプリケーションプログラム１１６Ａ、１１６Ｂ上で動作するウェブブラウザによって生成することができる。
【００５６】
したがって、登録処理の最初のステップでは、メインページが表示される（Ｓ１７４）。ユーザインタフェースのメインページには、選択可能なリンクが含まれており、そのアクティブ化により、初期登録ページまたはログインページ（すなわち、以前に登録されたユーザ）の表示が呼び出される。
【００５７】
プロセッサ１４２は、第１または第２のコンピュータ１０２Ａおよび１０２Ｂから受信したデータに基づいて、選択可能なリンクのうちのいずれがアクティブ化されるかを決定するように動作する（Ｓ１７６）。
【００５８】
プロセッサ１４２は、初期登録ページの表示を呼び出すためのリンクの起動を示すデータの受信に応答して、ユーザインターフェースモジュール１４５を実装して初期登録ページ表示データを第１または第２のコンピュータ１０２Ａおよび１０２Ｂに表示してディスプレイＳ１７８そのディスプレイを介して表示される。同様に、ログインページの表示を呼び出すためのリンクの起動を示すデータの受信に応答して、プロセッサ１４２は、ログインページ表示データを表示Ｓ１８０のために第１または第２のコンピュータ１０２Ａおよび１０２Ｂに通信するためのユーザインターフェイスモジュール１４５を実装する命令を実行するそのディスプレイを介して表示される。
【００５９】
初期登録ページには、選択可能なリンクが表示され、そのリンクにより、個々の（すなわち自然人）登録ページまたはビジネス（すなわち、法人）登録ページの表示が呼び出される。
【００６０】
再び、プロセッサ１４２は、第１または第２のコンピュータ１０２Ａおよび１０２Ｂから受信したデータに基づいて、選択可能なリンクのうちのいずれがアクティブ化されているかを判断するように動作する（Ｓ１８２）。
【００６１】
したがって、プロセッサ１４２は、個々の登録ページの表示を呼び出すためのリンクの起動を示すデータの受信に応答して、個々の登録ページ表示データを第１または第２のコンピュータ１０２Ａおよび１０２Ｂに通信するために、ユーザインターフェイスモジュール１４５を実装する命令を実行する。ディスプレイを介してＳ１８４を表示する。同様に、ビジネス登録ページの表示を呼び出すためのリンクの起動を示すデータの受信に応答して、プロセッサ１４２は、ビジネス登録ページ表示データを第１または第２のコンピュータ１０２Ａおよび１０２Ｂに通信するために、ユーザインターフェースモジュール１４５を実装するための命令を実行する。ディスプレイを介してＳ１８６を表示する。
【００６２】
第１または第２のコンピュータ１０２Ａおよび１０２Ｂに表示されたユーザインタフェースの個別登録ページ１８７が図５に示されている。
【００６３】
ユーザは、表示された個別登録ページの入力領域にその詳細を入力し、入力領域にユーザ入力の詳細を入力する（Ｓ１８６）。ユーザは、それぞれの入力領域に以下の詳細を入力しなければならない（図５参照）。
・「ジェンダー」を入力領域１８８に入力する（ドロップダウンリストからの選択によって、その表示はドロップダウン矢印１９０をクリックすることによって開始される）。
・「タイトル」を入力領域１９２に入力する（ドロップダウンリストから選択することにより、その表示はドロップダウン矢印１９４をクリックすることによって開始される）。
・「名字」を入力領域１９６に入力する。
・「ミドルネーム」を入力領域１９８に入力する。
・「姓」を入力領域２００に入力する。
・「国」を入力領域２０２に入力する（ドロップダウンリストから選択することによって、その表示はドロップダウン矢印２０４をクリックすることによって開始される）。
・「携帯電話番号」を入力領域２０６に入力する。
・「携帯電話番号（確認）」を入力領域２０８に入力する。そして
・「電子メールアドレス」を入力領域２１０に入力する。
【００６４】
「サブミット」と題するユーザ選択可能リンク２１４の起動Ｓ２１２に応答して、ユーザが入力した内容を表すデータが、実装された登録者データルールモジュール１４６による動作のために、ウェブインターフェース１２２を介してプロセッサ１４２に転送されるその上に、Ｓ２１６。
【００６５】
ユーザコンピュータ１０２Ａ（または１０２Ｂ）からデータを受信することに応答して、プロセッサ１４２は、登録者データ規則について記憶装置１３６に要求を送信する。登録者データ規則の検索に応答して、登録者データ規則を表すデータがプロセッサ１４２に返され、プロセッサ１４２は、登録者データ規則モジュール１４６を実装する際に、ユーザによって入力された詳細がシステムの登録者データ規則。そうでない場合、プロセッサ１４２は、信号をユーザコンピュータ１０２Ａ（または１０２Ｂ）に通信させて、ユーザコンピュータ１０２Ａ（または１０２Ｂ）のディスプレイ上のプロンプトの表示Ｓ２２０を起動させる。このプロンプトは、間違った、またはそれに準拠していない詳細をユーザーが修正するように促します。
【００６６】
ユーザ入力の詳細が正しい場合、プロセッサ１４２は、ユーザが入力した電子メールアドレスに電子メールが送信されるように動作する（Ｓ２２２）。電子メールには選択可能な確認リンクが含まれており、これを有効にすると電子メール確認ページがユーザコンピュータ１０２Ａ（または１０２Ｂ）のディスプレイ上に表示される。この点に関して、プロセッサ１４２は、選択可能な検証リンクを生成するルーチンを実行する起動モジュール１４７を実装する。
【００６７】
選択可能な検証リンクは、ウェブサーバ１２０からウェブインタフェース１２２を介して電子メールサーバ１２０に送信される電子メールメッセージに含まれることを要求して、アプリケーションサーバ１２６からウェブサーバ１２０に送信される。ユーザーのメールアドレス。
【００６８】
電子メール確認ページと、ユーザが入力した電子メールアドレスの詳細の検証プロセスについては、図２および図３を参照して後述する。６および７。
【００６９】
ユーザ入力の詳細が正しいと判定された場合、プロセッサ１４２は、ショートコードサービス（ＳＭＳ）を介してユーザコードのＳ２２４をユーザの携帯電話に送信させる番号の詳細）。携帯電話は、第１または第２のコンピュータ１０２Ａ、１０２Ｂのうちの１つを含むことができる。これに関して、プロセッサ１４２は、起動コードを生成するルーチンを実行する起動モジュール１４７を実装する。
【００７０】
起動コードは、ウェブサーバ１２０からＳＭＳインターフェース１２３を介して携帯電話（コンピュータ１０２Ａまたは１０２Ｂ）に送信される起動メッセージに起動コードが含まれているという要求と共に、アプリケーションサーバ１２６からウェブサーバ１２０に送信される。１０２Ｂ）。起動メッセージの受信に応答して、携帯電話（すなわち、コンピュータ１０２Ａまたは１０２Ｂ）のプロセッサ１１４Ａまたは１１４Ｂは、そのＳＭＳプログラムに起動コードの表示を呼び出すように指示する。
【００７１】
個々のユーザ登録プロセスの任意の時点で、ユーザは、個々の登録ページ１８７の入力領域の１つ以上に入力されたプロセスをキャンセルするか、または任意のデータをクリアする選択肢を有する。キャンセル動作は、ユーザの起動Ｓ２２６「キャンセル」というタイトルの選択可能なリンク２２８を含む。同様に、「クリア」と題されたユーザ選択可能リンク２３２の起動Ｓ２３０において、明確な動作が行われる。
【００７２】
本発明の１つまたは複数の実施形態における登録者データルールモジュール１４６によって使用され得る特定の登録者データルールは、以下の１つまたは複数を含むことができる。
【００７３】
・ファースト／ミドル／ラストネーム  −  それぞれ最大５０文字制限。特別なまたは高いＡＳＣＩＩ文字または数字が入力されないことを保証するために、登録者データルールモジュール１４６によって実行される有効性チェック。登録者データルールモジュール１４６は、プロセッサ１４２に、国際民間航空機関（Ｉｎｔｅｒｎａｔｉｏｎａｌ  Ｃｉｖｉｌ  Ａｖｉａｔｉｏｎ  Ｏｒｇａｎｉｚａｔｉｏｎ）の標準に従ってスウェーデン語／ドイツ語／スペイン語（a、o、u、φ）のようなアルファベットで見出される特定の国の文字を転記させるＩＣＡＯ）を使用しています。たとえば、「Ｍuｌｌｅｒ」は「Ｍｕｅｌｌｅｒ」になります。
・携帯電話番号  −  最小文字数７桁。登録者データルールモジュール１４６は、アルファベットまたは特殊文字が入力されないことを保証するために、入力データのチェックをプロセッサ１４２に実行させるように動作する。
・携帯電話番号（確認）  −  上記と同じです。数字は同じでなければなりません。そうでない場合は、ユーザーに修正を促します。
・電子メールアドレス  −  フリーテキストフィールド、最大文字長９０．登録者データルールモジュール１４６は、特殊文字が入力されていないこと、および＠記号が存在することを確認するためにプロセッサ１４２にチェックを行わせるように動作する。
・登録者データルールモジュール１４６は、プロセッサ１４２に、歓迎されていないプロバイダのブラックリストに対する入力された電子メールアドレスの電子メールドメインのチェックを実行させるように動作する。ブラックリストは、データベース１３２に格納された登録者データ・ルールの一部を形成する。ドメイン名がブラックリスト上のドメイン名の１つと一致する場合、プロセッサ１４２は、ユーザ・コンピュータ１０２Ａ（または１０２Ｂ）に信号を伝達して、入力された電子メールアドレスが有効でない（無効な電子メールプロバイダなど）ことを示します。
・登録者データルールモジュール１４６は、プロセッサ１４２に、入力された電子メールアドレスの電子メールドメインのチェックを実行させて、ドメインがメールエクスチェンジャ（ＭＸ）レコードを有するかどうかを判定する（すなわち、メールサーバであり、加工されたアドレスではない）。そうでない場合、プロセッサ１４２は、ユーザコンピュータ１０２Ａ（または１０２Ｂ）に通信される信号を発生させて、ユーザに正しいアドレスをチェックして入力するように促すメッセージの表示を呼び出す。
【００７４】
次に、システム上でユーザが入力した電子メールアドレスの検証について、図４および図５を参照して説明する。図６は、システム１００上のユーザ電子メールアカウントおよび携帯電話番号を検証するためのプロセスフロー制御図を示し、図７は、ユーザｅに使用されるコードを入力するためのユーザインターフェース２３６を示すメールアカウントと携帯電話番号の検証プロセス。
【００７５】
第１または第２のコンピュータ１０２Ａ、１０２Ｂは、ユーザの電子メールアドレスに送信された電子メールからの選択可能な検証リンクのユーザ選択に応答して、ユーザの電子メールアカウントの検証のためにウェブサーバ１２０に要求を送信する。プロセッサ１４２は、ディスプレイを介して表示Ｓ２３４のために電子メールおよび携帯電話番号確認ページデータを第１または第２のコンピュータ１０２Ａおよび１０２Ｂに通信するためにユーザインターフェースモジュール１４５を実装する命令を実行する。
【００７６】
第１または第２のコンピュータ１０２Ａおよび１０２Ｂに表示されたユーザインターフェースの電子メールアドレスおよび携帯電話確認ページ２３６が図７に示されている。
【００７７】
電子メールアドレスおよび携帯電話確認ページ２３６は、電子メールアドレスが有効であることを確認するメッセージ２３８と、ユーザがＳＭＳを介して送信された起動コードを携帯電話に入力することを要求するプロンプト２４０とを表示する。
【００７８】
ユーザは、表示された電子メールアドレスおよび携帯電話確認ページ２３６の入力領域２４２にアクティベーションコードを入力し、入力領域２４２に、ユーザが入力したアクティベーションコードを入力する（Ｓ２４４）。
【００７９】
「有効」と題されたユーザ選択可能リンク２４８の起動Ｓ２４６に応答して、ユーザ入力された起動コードを表すデータがＷｅｂインタフェース１２２を介してウェブサーバ１２０に送信され、プロセッサ１４２への転送、起動モジュール１４７その上に実装される。
【００８０】
起動モジュール１４７は、起動コードの受信に応答して、ウェブサーバ１２０から受信した起動コードを、第１または第２のコンピュータ１０２Ａ、１０２Ｂに送信した起動コードと比較する（ステップＳ２５０）。ウェブサーバ１２０から受信したアクティベーションコードが、第１または第２のコンピュータ１０２Ａ、１０２Ｂに送信されたアクティベーションコードと一致する場合、アクティベーションモジュール１４７は、アクティベーションコードが満了したかどうかを判断するように動作する（ストレージに保存されたライフタイムデータ１３６）。コードが期限切れになっていない場合、プロセッサ１４２は、その表示を介して表示Ｓ２５４のために第１または第２のコンピュータ１０２Ａおよび１０２Ｂにログイン詳細作成ページデータを通信するために、ユーザインターフェースモジュール１４５を実装する命令を実行する。
【００８１】
ウェブサーバ１２０から受信したアクティベーションコードが、第１または第２のコンピュータ１０２Ａ、１０２Ｂに送信されたアクティベーションコードと一致しない場合、起動モジュール１４７は、試行カウンタを１だけ増加させ（ステップＳ２５６）、不正なアクティベーション（記憶装置１３６に記憶された試行データを参照することにより）以前に入力されている。第１の試みであり、第１の試みで誤ったコードが入力された場合、プロセッサ１４２は、ディスプレイを介した表示のためにプロンプトデータを第１または第２のコンピュータ１０２Ａおよび１０２Ｂに通信するための命令を実行するそのプロンプトデータは、電子メールおよび携帯電話番号確認ページを更新して、Ｓ２６０で、ユーザがアクティベーションコードを再入力することを要求するプロンプトを表示する。以前の機会に誤ったコードが入力されたと判定された場合、起動モジュール１４７は、現在の試みが、例えば、３回目の失敗した試みである場合に再び動作する（Ｓ２６２を再び参照して、１３６）。そうでない場合には、即時データが第１または第２のコンピュータ１０２Ａおよび１０２Ｂに再度伝達されて、電子メールおよび携帯電話番号確認ページが更新され、Ｓ２６０で、ユーザがアクティベーションコードを再入力することを要求するプロンプトが表示される。
【００８２】
例えば３回目の試行で誤ったコードが入力されたと判定された場合、起動モジュール１４７は、再生カウンタを１だけ増加させ（ステップＳ２６４）、再生回数が例えば、２つ（記憶装置１３６に記憶された再生データを参照）。そうでない場合、プロセッサ１４２は、そのディスプレイを介して表示するために、プロンプトデータを第１または第２のコンピュータ１０２Ａおよび１０２Ｂに通信するために、ユーザインターフェイスモジュール１４５を実装する命令を実行する。プロンプトデータは、電子メールおよび携帯電話番号確認ページを更新して、Ｓ２６８で、ユーザがアクティベーションコードの再生を開始することを要求するプロンプトを表示する。
【００８３】
「ＲＥＳ終了」と名付けられたユーザ選択可能リンク２７２の起動Ｓ２７０に応答して、再生要求を表すデータがウェブ・インタフェース１２２を介してウェブ・サーバ１２０に送信され、プロセッサ１４２への転送が実行される。再生された活性化コードは、活性化コードの作成のための上記の方法で作成される。再生されたアクチベーションコードの作成に応答して、再生コードは、既に上述したような方法で携帯電話に送られる（Ｓ２７４）。
【００８４】
再生回数が例えば２に等しいと判定された場合（記憶装置１３６に記憶された再生データを参照して）、プロセッサ１４２は、第１または第２のコンピュータ１０２Ａにプロンプトデータを通信するためにユーザインタフェースモジュール１４５を実装する命令を実行する１０２Ｂを表示させる。このプロンプトデータは、電子メールおよび携帯電話番号確認ページを更新して、Ｓ２７６において、ユーザが登録プロセスを再開することを要求するプロンプトを表示する。
【００８５】
ステップＳ２５２において、コードが期限切れと判定された場合、処理は既に説明したステップＳ２６８に進む。
電子メールおよび携帯電話の検証プロセスではいつでも、ユーザーはプロセスをキャンセルするオプションを持っています。キャンセル操作は、「キャンセル」というタイトルのユーザ選択可能リンク２７６の起動時に行われる。
【００８６】
電子メールリンクとアクティベーションコードの有効期間は設定可能です。たとえば、電子メールリンクは、ユーザーの電子メールアドレスに送信されてから４８時間以内に有効になることがあり、アクティベーションコードは、たとえば、ユーザーの携帯電話に送信されてから３０分間有効です。
【００８７】
任意選択的に、上記の電子メールおよび携帯電話の検証プロセスは、電子メールリンクが期限切れになっているかどうかを判断するチェックを含むことができる（例えば、リンクの起動を試みるまでに４８時間以上が経過している）。この場合、登録プロセスを再開する必要があります。
【００８８】
図９ａは、このプロセスの一部として第１または第２のコンピュータ１０２Ａ、１０２Ｂに表示するためのユーザインタフェースを示す。ユーザ登録処理のこの部分は、ユーザがアカウントアクセスのためにログイン名とパスワードを作成することを可能にする。
【００８９】
プロセッサ１４２は、電子メールの有効性の検証および正しい、期限切れのないアクティベーションコードの入力に応答して、ディスプレイＳ２５４を介してログイン詳細作成ページデータを第１または第２のコンピュータ１０２Ａおよび１０２Ｂに通信するために、その表示装置。
【００９０】
第１または第２のコンピュータ１０２Ａおよび１０２Ｂに表示されるユーザインターフェースのログイン詳細作成ページ２８０が図９ａに示されている。
【００９１】
ログイン詳細作成ページ２８０は、ユーザが要求された情報を入力することができる多数の入力領域を表示する。要求された情報のユーザ入力に応答して、入力領域には、ユーザが入力した詳細が入力される（Ｓ２７８）。ユーザは、それぞれの入力領域に次の詳細を入力する必要があります。
・「好ましいユーザーネーム」を入力領域２８２に入力する。
・「好ましいパスワード」を入力領域２８４に入力する。
・「パスワード（確認）」を入力領域２８６に入力する。
・「記憶可能なワード１」を入力領域２９０に入力する。
・「記憶可能なワード２」を入力領域２９２に入れる。
・「セキュリティ番号」を入力領域２９４に入力する。そして
・「セキュリティ番号（確認）」を入力領域２９６に入力する。
【００９２】
「送信」と題されたユーザ選択可能リンク３００の起動Ｓ２９８に応答して、ユーザ入力された内容を表すデータが、ウェブインタフェース１２２を介してウェブサーバ１２０に送信され、プロセッサ１４２への転送のために、その上に実装される。
【００９３】
ユーザコンピュータ１０２Ａ（または１０２Ｂ）からデータを受信することに応答して、プロセッサ１４２は、登録者データ規則について記憶装置１３６に要求を送信する。登録者データルールの検索に応答して、登録者データルールを表すデータがプロセッサ１４２に返され、プロセッサ１４２は、登録者データルールモジュール１４６を実装する際に、ユーザによって入力された詳細がシステムの登録者データルール。そうでない場合、プロセッサ１４２は、ユーザコンピュータ１０２Ａ（または１０２Ｂ）のディスプレイ上のプロンプトの表示Ｓ３０６を呼び出すために、信号をユーザコンピュータ１０２Ａ（または１０２Ｂ）に通信させる。このプロンプトは、間違った、またはそれに準拠していない詳細をユーザーが修正するように促します。
【００９４】
ログイン詳細作成プロセスの任意の時点で、ユーザは、プロセスをキャンセルし、ログイン詳細作成ページ２８０の１つまたは複数の入力領域に入力された任意のデータをクリアし、および／または１つまたは複数のキャンセル操作は、「キャンセル」というタイトルのユーザ選択可能リンク３０８の起動に応答して行われる。同様に、「クリア」と名付けられたユーザ選択可能なリンク３１０の起動時に明確な動作が行われる。同様に、印刷操作は、「印刷」と題されたユーザ選択可能リンク３１２の起動時に行われる。
【００９５】
ユーザ入力の詳細が登録者データ規則に則していれば、プロセッサ１４２はユーザログインの詳細をデータベース１３２に保存する（Ｓ３１４）。さらに、プロセッサ１４２は、ユーザインターフェースモジュール１４５を実装してＳ３１６ページデータを第１または第２のコンピュータ１０２Ａおよび１０２Ｂに送信する。第１または第２のコンピュータ１０２Ａ、１０２Ｂのウェブブラウザ１１８Ａ、１１８Ｂは、ページデータを使用して、ログインの詳細がうまく作成されたことを示すページ３２０（図９ｂ参照）の表示Ｓ３１８を呼び出す。ユーザーはこの時点で、アプリケーションプロセスを続行するか、後でログオフしてログインして、後でアプリケーションプロセスを続けるかを選択できます。継続操作は、「次へ」というタイトルのユーザ選択可能リンク３２２の起動に応答して行われる。同様に、「ログオフ」と名付けられたユーザ選択可能リンク３２４の起動時に、ログオフ動作が行われる。
【００９６】
プロセッサ１４２は、どのオプションが選択され、受信されたデータに依存するかを判断するＳ３２６を決定するように動作し、第１または第２のコンピュータ１０２Ａ、１０２Ｂに命令を送り、アプリケーションプロセス（図１０ａおよび１０ｂ参照））、またはプロセスからログアウト操作を開始する（Ｓ３３０）。ログアウトされた後、アプリケーションプロセスは、第１または第２のコンピュータ１０２Ａ、１０２Ｂに表示されたユーザインタフェースを介して、作成されたログイン詳細を提出することによって、後で継続することができる（Ｓ３３２）。ログインが成功したことに応答して、プロセッサ１４２は、アプリケーションプロセスの次のページの表示Ｓ３２８を呼び出す（図１０ａおよび図１０ｂ参照）。
【００９７】
本発明の１つまたは複数の実施形態におけるログイン詳細作成プロセスのために登録者データルールモジュール１４６によって使用され得る特定の登録者データルールは、以下の１つまたは複数を含み得る：
・優先ユーザー名  −  特殊文字は使用できません。つまり、英数字のみを使用できます。
・パスワード  −  複雑さの要件を満たす必要があります。例えば、次のうちの１つ以上が適用されます。
−  それは８文字の最小長でなければなりません。
−  少なくとも１文字は大文字でなければなりません。
−  少なくとも１文字は数字でなければなりません。
−  少なくとも１文字は「特殊文字」でなければなりません（例：「！」、「＆」など）。
−  数字や文字の並びは許されない。そして
−  ユーザー名は含めないでください。
・パスワード確認  −  入力領域２８４に入力されたパスワードと一致しなければならない。そうでなければ、システムは、第１または第２のコンピュータ１０２Ａ、１０２Ｂでのエラーメッセージの表示を開始するように動作する。
・セキュリティ番号  −  パスワードと同様の規則を持つ可能性があります。
・覚えやすい単語１と２は同じであってはならない。
【００９８】
ユーザ登録およびログイン詳細作成プロセスを説明したので、アカウントアプリケーションプロセスの第１の部分について、図１および図２を参照して説明する。図１０ａ、図１０ｂおよび図１１を参照する。図１０ａおよび図１０ｂは、システム１００上のアカウントアプリケーションプロセスの第１部分のプロセスフロー制御図を示し、図１１は、アカウントアプリケーションの第１部分で使用される詳細を入力するためのユーザ詳細エントリページ３３４を概略的に示すプロセス。
【００９９】
以前に表示されたページ内のリンク「ＮＥＸＴ」３２２の起動に応答して、またはログインに成功したことに応答して、プロセッサ１４２は、ユーザ詳細エントリページ３３４の表示Ｓ３２８を呼び出して、アプリケーションプロセス。
【０１００】
ユーザ詳細エントリページ３３４には、ユーザが要求された情報を入力することができる多数の編集可能な入力領域が表示される。以前に入力された詳細が表示される編集不可領域がいくつか表示されます。プロセッサ１４２は、前のステップで入力されたユーザの詳細をデータベース１３２から検索し（ステップＳ３３６）、ユーザ詳細エントリページ３３４の編集不可能な領域に入力するように動作する。ユーザは、編集可能な入力領域、
・「生年月日」を入力領域３３８に入力する。
・「出生地」を入力領域３４０に入力する。
・「国籍」を入力領域３４２に入力する。
・「婚姻状況」を入力領域３４４に入力する。
・「性別」を領域３４６に入力する。
・「フロア／フラット番号」を入力領域３４８に入力する。
・「ストリート」を領域３５０に入力する。
・「都市／町」を入力領域３５２に入力する。
・「ポストコード」を入力領域３５４に入力する。
・「州／郡」を入力領域３５６に入力する。そして、
・「固定電話番号」を入力領域３５８に入力する。
【０１０１】
非編集可能領域は、以前に入力された情報で埋められた以下の領域を含む：
・「性別」（例：領域３６０の「男性」）
・「タイトル」（例：領域３６２の「Ｍｒ」）
・「ファーストネーム」（例：領域３６４の「Ｊｏｈｎ」）
・「ミドルネーム」（例：領域３６６の「ロバート」）
・「姓」（例：領域３６８の「スミス」）
・「国」（例：領域３７０の「英国」）
・「Ｅメール」（例：領域３７２の「ｊｏｈｎｓｍｉｔｈ＠ｘｙｚ．ｃｏｍ」）そして、
・「モバイル番号」（例：領域３７４の「＋４４  １２３４  ５６７８９０」）
【０１０２】
編集可能な入力領域内の要求された情報のユーザ入力に応答して、編集可能な入力領域は、ユーザが入力した詳細で入力される（Ｓ３７６）。
【０１０３】
「続行」と名付けられたユーザ選択可能リンク３８０の起動Ｓ３７８に応答して、ユーザ入力された詳細を表すデータは、登録者が提出した物理アドレス抽出による動作のためにプロセッサ１４２に転送するためにウェブインターフェース１２２を介してウェブサーバ１２０に伝達される。モジュール１５６が実装されている。登録者が提出した物理アドレス抽出モジュール１５６は、領域３４８，３５０，３５２，３５４および３５６に入力されたＳ３８２アドレスデータを抽出するように動作する。プロセッサ１４２は、抽出された物理アドレス詳細データを処理するＳ３８４登録者データルールモジュール１４６を実装する。
【０１０４】
ユーザコンピュータ１０２Ａ（または１０２Ｂ）からデータを受信することに応答して、プロセッサ１４２は、登録者データ規則について記憶装置１３６に要求を送信する。登録者データルールの検索に応答して、登録者データルールを表すデータがプロセッサ１４２に返され、プロセッサ１４２は、登録者データルールモジュール１４６を実装する際に、抽出された物理アドレス詳細データがシステムのアドレスデータルール。そうでない場合、プロセッサ１４２は、ユーザコンピュータ１０２Ａ（または１０２Ｂ）のディスプレイ上のプロンプトの表示Ｓ３８８を呼び出すために、ユーザコンピュータ１０２Ａ（または１０２Ｂ）に信号を通信させる。このプロンプトは、間違った、またはそれに準拠していない詳細をユーザーが修正するように促します。
【０１０５】
ログイン詳細作成プロセスのいずれの時点においても、ユーザは、ユーザ詳細エントリページ３３４の編集可能な入力領域のうちの１つ以上に入力された任意のデータを消去する選択肢を有する。クリア操作は、ユーザ選択可能なリンク３９０の起動「クリア」。
【０１０６】
ユーザが提出した物理アドレスの詳細がアドレスデータの規則に正確かつ／または準拠している場合、プロセッサ１４２は、登録者データルールモジュール１４６を使用して、残りのユーザ入力の詳細がシステムの登録者データルールに正確かつ／。再びそうでない場合、プロセッサ１４２は、ユーザコンピュータ１０２Ａ（または１０２Ｂ）のディスプレイ上のプロンプトの表示Ｓ３８８を呼び出すために、ユーザコンピュータ１０２Ａ（または１０２Ｂ）に信号を通信させる。このプロンプトは、間違った、またはそれに準拠していない詳細をユーザーが修正するように促します。
【０１０７】
ユーザが提示した物理アドレスの詳細と残りのユーザ入力の詳細の両方が、システムのアドレスおよび登録者データ規則に妥当かつ／または遵守している場合、プロセッサ１４２は、ＤＭＳ１３０に、登録されたユーザのデータベース１３２に、これまでのプロセスで入力された詳細へＤＭＳ１３０は、ユーザ詳細エントリページ３３４に入力された１つ以上の詳細と一致する詳細を有する登録ユーザのためのデータベース１３２をＳ３９４に照会する。一致が見つからない場合、すなわちＤＭＳ１３０は、入力されたものと一致する詳細を有する登録されたユーザが存在しないことを示すデータベース１３２、データベース１３２にユーザレコードが作成され、ユーザ入力の詳細がユーザレコードの一部としてデータベース１３２に保存される（ステップＳ３９６）。口座申請プロセスの第２の部分のための口座申請プロセスの継続のための後続のステップは、図３および図４に関して後述する。１２および１３。
【０１０８】
ＤＭＳ１３０が一致を報告する場合、データベースサーバ１２８は、プロセッサ１４２に、ユーザが既にアカウントを持っているという指示の入力を要求する要求を出す。プロセッサ１４２は、要求を受信したことに応答して、第１または第２のコンピュータ１０２Ａ、１０２Ｂに送信される要求を作成して、ディスプレイＳ３９８に、ユーザにアカウントが既にあるかどうかを示す入力を要求するプロンプトを呼び出す。
【０１０９】
要求に対する応答の受信に応答して、プロセッサ１４２は、指示が正か否か、すなわちユーザが既にアカウントを持っているか否かを判断する（Ｓ４００）。
【０１１０】
この判定が否定的である場合、すなわち、ユーザが既存の口座を持たないことをユーザが示す場合、プロセッサ１４２は、登録者アプリケーション状態モジュール１４８を実装するための命令を実行する。登録者アプリケーション状態モジュール１４８は、Ｓ４０２を実行して、ユーザのレコードが関連するアカウントアプリケーションステータスフラグと共に（ステップＳ３９６）データベース１３２に作成される。
【０１１１】
判定が肯定的である場合、すなわち、それらが既存の口座を有するという指示がユーザによって提供される場合、プロセッサ１４２は、第１または第２のコンピュータ１０２Ａ、１０２Ｂに送信される要求を公式化して、既存のアカウントの詳細を単一の関係、つまり１つのユーザーレコードの現在の詳細とマージ（または非マージ）します。
【０１１２】
特定のオプション、すなわち「マージ」または「マージなし」の選択を示す応答の受信に応答して、プロセッサ１４２は、どのオプションが選択されているかを決定する（Ｓ４０６）。
【０１１３】
「合併しない」オプションが選択された場合、プロセッサ１４２は、登録者アプリケーション状態モジュール１４８を実施するための命令を実行する。登録者アプリケーション状態モジュール１４８は、Ｓ４０２を実行してアカウントアプリケーション状態フラグを「重複」に設定し、データベース１３２（関連するアカウントアプリケーションステータスフラグと共に）を含む。
【０１１４】
「マージ」オプションが選択されている場合、プロセッサ１４２は、信号をユーザコンピュータ１０２Ａ（または１０２Ｂ）に通信させて、既存のアカウントのログインおよびパスワードの詳細を入力するようにユーザに促すメッセージを表示Ｓ４０８する。
【０１１５】
正しいログインおよびパスワードが第１または第２のコンピュータ１０２Ａ、１０２Ｂに入力されたことの判定Ｓ４１０に応答して、プロセッサ１４２は、登録者アプリケーション状態モジュール１４８を実装するための命令を実行する。登録者アプリケーション状態モジュール１４８は、Ｓ４１２を実行して、ステータスフラグを「マージ」に変更し、ユーザの詳細をデータベース１３２内の既存のアカウントの詳細の一部として保存する（Ｓ４１４）。
【０１１６】
口座申請プロセスの第１部分について説明したが、次に口座申請プロセスの第２部分について図３および図４を参照して説明する。図１２は、システム１００上の口座申請プロセスの第２の部分のプロセスフロー制御図を示し、図１３は、アカウントアプリケーションプロセスの第２の部分で使用される詳細を入力するためのさらなるユーザ詳細エントリページ４１６を概略的に示す。
【０１１７】
上述したように、アカウントアプリケーションプロセスの第１部分の完了に応答して、プロセッサ１４２は、アカウントアプリケーションプロセスの第２部分で使用される詳細を入力するために、さらなるユーザ詳細エントリページ４１６の表示Ｓ４１８を呼び出す。
【０１１８】
更なるユーザ詳細エントリページ４１６には、ユーザが要求された情報を入力することができる多数の入力領域が表示される。ユーザは、それぞれの入力領域に次の詳細を入力する必要があります。
【０１１９】
・「雇用」を入力領域４２０に入力する（ドロップダウンリストからの選択により、ドロップダウン矢印４２２をクリックすることによってその表示が開始される）。
・「口座の目的」を入力領域４２４に入力する（ドロップダウンリストから選択することによって、その表示はドロップダウン矢印４２６をクリックすることによって開始される）。
・「平均年収」を入力領域４２８に入力する。
・「勘定の期待平均フロー」を入力領域４３０に入力する。そして、
・「富／資金の源泉」を入力領域４３２に入力する。
【０１２０】
さらなるユーザ詳細エントリページ４１６には、チェックボックスをオン／オフする（すなわち、チェックボックスにチェックを入れたり、チェックボックス内のチェックを外す）ためにクリックすることができるラベル付きＨＴＭＬチェックボックスも表示される。
【０１２１】
第１のチェックボックス４３４は、「利用規約に同意する」というタイトルのクリック可能なラベルに関連付けられている。第２のチェックボックス４３６は、「他の当事者に代わって行動しないことを確認する」というタイトルのクリック可能なラベルに関連付けられている。第３のチェックボックス４３６は、「提供されたすべての情報が正確かつ正確であることを確認する」というタイトルのクリック可能なラベルに関連付けられている。
【０１２２】
さらなるユーザ詳細入力ページ４１６には、ユーザがアプリケーションをサポートするアプリケーション（例えば、ＩＤの証拠、住所証明など）をブラウズし、提出ファイルへの添付のためのそのようなサポート文書をアップロードすることを可能にする入力領域も表示されるユーザーがサブミット操作を開始したときに送信されます。
【０１２３】
第１のドキュメント領域４４０は、ユーザによって見られている（すなわち、「ブラウズ」というタイトルのユーザ選択可能リンク４４２の起動に応答する）現在の記憶場所に対応するファイルパスを表示するように構成される。所望の文書ファイル（すなわち、ＩＤ文書の画像を含む文書ファイル）の位置に基づいて、ユーザは提出のためにファイルをアップロードすることができる。これは、「アップロード」と題するユーザ選択可能なリンク４４４の起動に応答して生じる。ユーザは、ドロップダウン・リストから適切な用語を選択することによってＩＤ文書領域４４６にＩＤ文書タイプの指示を提供することができ、その表示はドロップダウン・矢印４４８をクリックすることによって開始される。
【０１２４】
同様に、第２のドキュメント領域４５０は、ユーザによって見られている（すなわち、「ブラウズ」というタイトルのユーザ選択可能なリンク４５２の起動に応答する）現在の記憶場所に対応するファイルパスを表示するように構成される。所望の文書ファイル（すなわち、アドレス文書の画像を含む文書ファイル）の位置に基づいて、ユーザは提出のためにファイルをアップロードすることができる。これは、「アップロード」と題するユーザ選択可能リンク４５４の起動に応答して生じる。ユーザは、ドロップダウン・リストから適切な用語を選択することにより、アドレス・ドキュメント領域４５６にアドレス・ドキュメント・タイプの表示を提供することができ、その表示は、ドロップダウン・矢印４５８をクリックすることによって開始される。
【０１２５】
さらに、同様に、第３のドキュメント領域４６０は、ユーザによって見られている（すなわち、「ブラウズ」というタイトルのユーザ選択可能リンク４６２の起動に応答する）現在の記憶場所に対応するファイルパスを表示するように構成される。所望の文書ファイル（例えば、どちらの文書でもない別の文書およびＩＤ文書またはアドレス文書）の位置に基づいて、ユーザは提出のためにファイルをアップロードすることができる。これは、「アップロード」というタイトルのユーザ選択可能なリンク４６４の起動に応答して生じる。ユーザは、ドロップダウンリストから適切な用語を選択することによって、他の文書領域４６６内の他の文書タイプの表示を提供することができ、その表示は、ドロップダウン矢印４６８をクリックすることによって開始される。
【０１２６】
上述した他のページと同様に、ユーザは、プロセスをキャンセルするか、さらなるユーザ詳細エントリページ４１６の入力領域の１つ以上に入力されたデータをクリアする選択肢を有する。キャンセル動作は、ユーザが選択可能なリンク４７０は「キャンセル」と題されている。同様に、「クリア」と題されたユーザ選択可能なリンク４７２の起動時に、明確な動作が行われる。
【０１２７】
全ての詳細が完了し、すべてのチェックボックスがチェックされ、全ての要求された文書がアップロード／添付されている場合にのみ、アプリケーションプロセスの継続、すなわち更なるユーザ詳細エントリページ４１６からのナビゲーションがプロセス内の次のページを表示することができる。
【０１２８】
編集可能な入力領域における要求された情報のユーザ入力に応答して、編集可能な入力領域は、ユーザが入力した詳細で取り込まれる（Ｓ４７４）。要求された支援文書のユーザアップロードに応答して、文書領域には、アップロードされた支援文書のそれぞれのファイル名が入力される（Ｓ４７６）。
【０１２９】
「送信」と題されたユーザ選択可能リンク４８０の起動Ｓ４７８に応答して、ユーザ入力されたさらなるユーザの詳細を表すデータは、ウェブインタフェース１２２を介してウェブサーバ１２０に伝達され、１４６が実装されている。
【０１３０】
ユーザコンピュータ１０２Ａ（または１０２Ｂ）からデータを受信することに応答して、プロセッサ１４２は、登録者データ規則について記憶装置１３６に要求を送信する。登録者データルールの検索に応答して、登録者データルールを表すデータがプロセッサ１４２に戻され、プロセッサ１４２は、登録者データルールモジュール１４６を実装する際に、入力詳細データがシステムの登録者データルールに準拠するか否かを判定する。そうでない場合、プロセッサ１４２は、ユーザコンピュータ１０２Ａ（または１０２Ｂ）のディスプレイ上のプロンプトのディスプレイＳ４８４を呼び出すために、ユーザコンピュータ１０２Ａ（または１０２Ｂ）に信号を通信させる。このプロンプトは、間違った、またはそれに準拠していない詳細をユーザーが修正するように促します。
【０１３１】
ユーザ入力の詳細が登録者データルールに正確かつ／または準拠している場合、プロセッサ１４２は、Ｓ４８６の検証およびバックグラウンドチェックを開始し、Ｓ４８８ページデータを第１または第２ページに伝達するためにユーザインターフェースモジュール１４５を実装する命令を実行するように動作する。第２のコンピュータ１０２Ａおよび１０２Ｂを含む。第１または第２のコンピュータ１０２Ａ、１０２Ｂのウェブブラウザ１１８Ａ、１１８Ｂは、ページデータを使用して、ユーザアプリケーションプロセスが完了したことを示すページの表示Ｓ４９０を呼び出す。
【０１３２】
ドキュメントのアップロード機能は、たとえば次のようなオプションをサポートしています。
・同じ種類の複数の文書、つまり文書の表と裏のアップロード。ほとんどの場合、２つの別々のファイルになります。
・受け入れ可能な文書形式は、ＰＤＦ、ＪＰＥＧなどです。
・富／資金の源泉を確立するためのその他の支援文書のアップロード。
【０１３３】
ステップＳ４８６の検証およびバックグラウンドチェックは、図８および図９を参照して以下でさらに説明する口座申請承認プロセスの一部を形成する。１４ａ〜１４ｃ。
申請プロセスの第１および第２部分でユーザが提出した詳細を表すデータと、提出ファイル（添付文書を含む）に添付されたドキュメントファイルは、便宜上、「提出データ」と称する。
【０１３４】
送信データの受信Ｓ４９２に応答して、プロセッサ１４２は、ＩＰアドレス抽出モジュール１５０を実施するための命令を実行する．ＩＰアドレス抽出モジュール１５０は、Ｓ４９４を実行して、提出データを含むパケットのヘッダからＩＰアドレスを表すデータを抽出する。抽出されたＩＰアドレスデータを使用して、プロセッサ１４２は、ＩＰアドレスデータに基づいて関連する地域インターネットレジストリをＳ４９６で識別するためにストレージ１３６に問い合わせる。リージョナルインターネットレジストリのリストおよびそれらのレジストリに関連するＩＰアドレスの関連部分は、記憶装置１３６に保持される。関連するリージョナルインターネットレジストリを識別するために照会されるのはこのリストである。
【０１３５】
関連する地域インターネットレジストリに関するデータが見つかると、ストレージ１３６は、関連する地域インターネットレジストリを識別するレポートをプロセッサ１４２に返す。レポートの受信に応答して、プロセッサ１４２は、抽出されたＩＰアドレスを含むリクエストＳ４９８を、ウェブ・インターフェース１２２を介してウェブ・サーバ１２０に通信し、通信ネットワーク１１２を介して関連する地域インターネット・レジストリ１１０に転送する。抽出されたＩＰアドレスに対応する地理的位置を表すデータのために使用される。
【０１３６】
抽出されたＩＰアドレスに対応する地理的位置を表す受信データ（Ｓ５００）は、後で検索のために記憶装置１３６に転送されるようにプロセッサに送られる。
【０１３７】
プロセッサ１４２はまた、光学文字認識モジュール１５２を実施するための命令を実行する。光学文字認識モジュール１５２は、画像のテキスト部分を変換するためにアップロードされたアイデンティティ証拠文書（プロセッサ１４２による記憶装置から取り出されたものとして）上で光学文字認識（ＯＣＲ）文書ファイルを機械可読フォーマットに変換する。ＯＣＲ動作の実行に続いて、プロセッサ１４２は、Ｓ５０４登録者アドレス抽出モジュール１５４を実装するための命令を実行する。
【０１３８】
登録者アドレス抽出モジュール１５４は、
・ＯＣＲが実行されたＩＤ証拠資料から作成された、アップロードされたＩＤ証拠文書の機械可読バージョンからのＳ５０６アドレス詳細を抽出する。以下、「ＩＤ証拠アドレス詳細」。および／または
・アプリケーションプロセス中に提出され、データベース１３２から検索される登録者アドレスの詳細（以下、「ユーザ提出アドレス詳細」）からＳ５０８アドレスの詳細を抽出する。
【０１３９】
いずれのステップも任意であり得るので、図１４ａに点線を用いて示されている。両方のステップが本発明の特定の１つまたは複数の実施形態で行われる場合、それらは任意の順序で行われてもよい。
【０１４０】
識別証拠アドレス詳細およびユーザ提出アドレス詳細は、後で使用するために記憶装置１３６に保存される。
【０１４１】
プロセッサ１４２はまた、Ｓ５１０アドレス比較器モジュール１５８を実装する命令を実行する。
【０１４２】
図１４ｂを参照すると、アドレス比較モジュール１５８は、抽出されたＩＰアドレスに対応する地理的位置を表すデータの検索と共に、識別証拠アドレスの詳細および／またはユーザが提出したアドレスの詳細を表すデータの検索をストレージ１３６から開始する。アドレス比較モジュール１５８は、アイデンティティエビデンスアドレスの詳細を表すデータの、抽出されたＩＰアドレスに対応する地理的位置を表すデータとの比較Ｓ５１２を実行し、および／またはユーザが提出したアドレスの詳細を表すデータの比較を実行する抽出されたＩＰアドレスに対応する地理的位置を表すデータと比較する。
【０１４３】
アイデンティティ証拠アドレス詳細を表すデータが、抽出されたＩＰアドレスに対応する地理的位置を表すデータと一致しない、および／またはユーザ提出アドレスの詳細を表すデータがデータと一致しないという決定に応答してプロセッサ１４２は、抽出されたＩＰアドレスに対応する地理的位置を表すメッセージを、ユーザコンタクトポイントに（例えば、ユーザの電子メールアドレスへの電子メールを介して）送信するように動作する（Ｓ５１４）（例えば、職場などのアプリケーションプロセスを実施している他の指名された場所）でデジタル写真を撮ることをユーザに要求する（例えば、ＳＭＳをユーザの携帯電話に送信する）。また、ユーザは、画像ファイルを、例えば、通常のＩＰアドレスを用いてコンピュータから電子メールの添付ファイルとして送信することによって、指定された時間制限（例えば、３０分）内に写真を含む画像ファイルを提出するよう要求される。携帯電話から、指定された場所、例えば（図１４ｃ参照）。この追加の証拠は、口座申請承認プロセス（図１５または１６に関連してさらに説明する）のオプションの追加部分に使用することができます。
【０１４４】
本文脈において、用語「一致」は、一致する２つの物理的位置と、一致しないがシステムによって許容される誤差マージン内にある距離だけ離れた２つの物理的位置の両方を含むことができる。
【０１４５】
アイデンティティ証拠アドレスを表すデータが、抽出されたＩＰアドレスに対応する地理的位置を表すデータと一致する、および／またはユーザが提出したアドレスの詳細を表すデータが、アイデンティティ証拠アドレスを表すデータと一致するという決定に応答して、プロセッサ１４２は、抽出されたＩＰアドレスに対応する地理的位置を決定し、Ｓ５１６登録者名抽出モジュール１６０を実施する命令を実行する。
【０１４６】
登録者名抽出モジュール１６０は、
・ＯＣＲが実行されたＩＤ証拠資料から作成された、アップロードされたＩＤ証拠文書の機械可読バージョンからのＳ５１８の名前の詳細を抽出する。以下、「ＩＤ証拠名の詳細」。そして
・アプリケーションプロセス中に提出され、データベース１３２から検索された登録者名の詳細（以後、「ユーザが提出した名前の詳細」）から、Ｓ５２０の名前の詳細を抽出する。
【０１４７】
アイデンティティ証拠名の詳細およびユーザが提出した名前の詳細は、後で使用するために記憶装置１３６に保存される。
【０１４８】
プロセッサ１４２はまた、Ｓ５２２登録者名比較モジュール１６４を実装するための命令を実行する。
【０１４９】
登録者名比較モジュール１６４は、識別証拠名詳細およびユーザ提出名前詳細を表すデータの検索を記憶装置１３６から開始し、識別証拠名詳細を表すデータとユーザ提出名前を表すデータとの比較Ｓ５２４を実行する詳細。
【０１５０】
識別証拠名の詳細を表すデータがユーザ提出の名前の詳細を表すデータと一致しないという決定に応答して、プロセッサ１４２は、ＤＭＳ１３０に要求を通信して、データベース１３２内のユーザレコードを更新してユーザーはアカウントの承認を受けていません。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが拒否されたことを確認する彼らはアカウントのために承認されていません。
【０１５１】
しかし、識別証拠名を表すデータがユーザ提出された名前を表すデータと一致する場合、プロセッサ１４２は、Ｓ５２８（図１４ｃ参照）画像ファイル抽出モジュール１６６を実装するための命令を実行する。
【０１５２】
画像ファイル抽出モジュール１６６は、アップロードされた識別証拠文書からユーザの写真画像を抽出するように動作する。
【０１５３】
写真画像は後で使用するために記憶装置１３６に保存される。
【０１５４】
プロセッサ１４２はまた、（例えば、検索語としてユーザの名前を使用して）ユーザの写真画像のためのインターネット検索を実行するためのＳ５３０画像検索モジュール１６８を実施する命令を実行する。検索結果は後で使用するために記憶装置１３６に保存される。
【０１５５】
プロセッサ１４２はさらに、Ｓ５３２画像比較モジュール１７０を実装する命令を実行する。
【０１５６】
画像比較モジュール１７０は、写真画像を表すデータおよび検索結果の画像を表すデータの記憶装置１３６からの検索を開始し、写真画像を表すデータと検索結果の画像を表すデータとの比較Ｓ５３４を実行する。
【０１５７】
写真画像を表わすデータが検索結果の画像を表すデータと一致しないという決定に応答して、プロセッサ１４２は、メッセージをユーザ接点に（例えば、電子メールを介して）送信させ、ユーザーが自宅の住所（または職場などの申請プロセスを行っている他の指定された場所）で自分の写真を撮ることを要求するユーザーの電子メールアドレスまたはＳＭＳをユーザーの携帯電話に送信することができます。また、ユーザは、画像ファイルを、例えば、通常のＩＰアドレスを用いてコンピュータから電子メールの添付ファイルとして送信することによって、指定された時間制限（例えば、３０分）内に写真を含む画像ファイルを提出するよう要求される。携帯電話から、指定された場所、例えば家庭や仕事。この追加の証拠は、口座申請承認プロセス（図１５または１６に関連してさらに説明する）のオプションの追加部分に使用することができます。
【０１５８】
しかし、写真画像を表すデータが検索結果の画像を表すデータと一致するとの判断に応答して、プロセッサ１４２は、ＤＭＳ１３０に要求を通信して、データベース１３２内のユーザレコードを更新して（Ｓ５３６）アカウントに対して承認されています。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが成功したことを確認する彼らはアカウントのために承認されています。
【０１５９】
また、図１５および図１６は、承認決定を可能にするために、さらなる情報がユーザから要求される場合に実施され得る、口座アプリケーション承認プロセスの任意の部分のプロセスフロー制御図を示す。これらのオプション部分のステップは、図１４ｃのステップＳ５１４に続いて行われる。図１５は、さらなる情報が、ＩＰアドレスを有するポイントを介してシステムに接続された端末からユーザによって提出されるプロセスに関する。図１６は、さらなる情報が、携帯電話セルラーネットワークを介してシステムに接続された端末からユーザによって提出されるプロセスに関する。
【０１６０】
図１５に示すオプションのプロセスでは、ユーザは、適切な画像機器を使用して自分自身の写真を撮影した図１４ｃのステップＳ５１４の要求に応答して、電子メール（または他の適切なファイル転送メカニズム第１または第２のコンピュータ１０２Ａ、１０２Ｂからの写真を表すデータを含む画像ファイルを含む。画像ファイルは、ウェブ・インターフェース１２２を介してウェブ・サーバ１２０に通信され（Ｓ５４０）、その上に実装された提出画像有効性モジュール１７１による動作のために、プロセッサ１４２への転送が行われる。
【０１６１】
画像ファイルの受信に応答して、送信された画像有効性モジュール１７１は、画像ファイルが記憶装置１３６に記憶されたタイミングデータを参照して指定された制限時間内に受信された場合にＳ５４２を決定するように動作する。ステップＳ５１４の電子メールが送信される。画像ファイルが指定された期限内に受信されない場合、プロセッサ１４２はＤＭＳ１３０に要求を通信して、データベース１３２内のユーザ記録をＳ５４４で更新して、ユーザがアカウントに対して承認されていないことを示す。さらに、プロセッサ１４２は、（例えば、ユーザの電子メールアドレスへの電子メールまたはユーザの携帯電話へのＳＭＳを介して）ユーザの連絡先にメッセージを送信して、そのアプリケーションが拒否されたことを確認する彼らはアカウントのために承認されていません。
【０１６２】
しかし、画像ファイルが指定された期限内に受信された場合、提出画像有効性モジュール１７１は、画像ファイルからタイムスタンプを表すデータを抽出するように動作し、記憶装置１３６に記憶されたタイミングデータを参照して、タイムスタンプデータをタイミングデータと比較して、画像ファイルのタイムスタンプデータによって表される時間がタイミングデータによって表される時間の後である場合に、Ｓ５４８を判定する。これは、ステップＳ５１４の要求の後に（すなわち、期限切れの写真が提出されるのを避けるために）、ユーザ自身によって撮影された写真が発生したかどうかを判断するためである。画像ファイルのタイムスタンプデータとタイミングデータとの比較が、ステップＳ５１４の要求の前に作成されている画像ファイルを示す場合、プロセッサ１４２は、ＤＭＳ１３０に要求を通信して、データベース１３２内のユーザレコードをＳ５４４に更新するユーザーがアカウントの承認を受けていないことを示します。さらに、プロセッサ１４２は、（例えば、ユーザの電子メールアドレスへの電子メールまたはユーザの携帯電話へのＳＭＳを介して）ユーザの連絡先にメッセージを送信して、そのアプリケーションが拒否されたことを確認する彼らはアカウントのために承認されていません。
【０１６３】
画像ファイルのタイムスタンプデータとタイミングデータとの比較が、ステップＳ５１４の要求後に作成される画像ファイルを示す場合、プロセッサ１４２は、ＩＰアドレス抽出モジュール１５０を実装するための命令を実行する．ＩＰアドレス抽出モジュール１５０  Ｓ５５０を実行して、画像ファイルを含むパケットのヘッダからＩＰアドレスを表すデータを抽出する。抽出されたＩＰアドレスデータを使用して、プロセッサ１４２はストレージ１３６に問い合わせて、ＩＰアドレスデータに基づいて関連する地域インターネットレジストリをＳ５５２で識別する。リージョナルインターネットレジストリのリストおよびそれらのレジストリに関連するＩＰアドレスの関連部分は、記憶装置１３６に保持される。関連するリージョナルインターネットレジストリを識別するために照会されるのはこのリストである。
【０１６４】
関連する地域インターネットレジストリに関するデータが見つかると、ストレージ１３６は、関連する地域インターネットレジストリを識別するレポートをプロセッサ１４２に返す。レポートの受信に応答して、プロセッサ１４２は、抽出されたＩＰアドレスを含むリクエストＳ５５４を、ウェブ・インターフェース１２２を介してウェブ・サーバ１２０に通信し、通信ネットワーク１１２を介して関連する地域インターネット・レジストリ１１０に転送する。抽出されたＩＰアドレスに対応する地理的位置を表すデータのために使用される。
【０１６５】
抽出されたＩＰアドレスに対応する地理的位置を表す受信データ（Ｓ５５６）は、プロセッサ１４２に送られ、後で検索のためにストレージ１３６に転送される。
【０１６６】
地理的位置プロセッサ１４２を表すデータの受信に続いて、Ｓ５５８アドレス比較モジュール１５８を実施する命令を実行する。
【０１６７】
アドレス比較モジュール１５８は、抽出されたＩＰアドレスに対応する地理的位置を表すデータの検索と共に、ストレージ１３６からユーザが提出したアドレスの詳細を表すデータの検索を開始する。アドレス比較モジュール１５８は、抽出されたＩＰアドレスに対応する地理的位置を表すデータと、ユーザが提出したアドレスの詳細を表すデータの比較Ｓ５６０を実行する。
【０１６８】
プロセッサ１４２は、ユーザが提出したアドレスを表すデータが、抽出されたＩＰアドレスに対応する地理的位置を表すデータと一致しないとの判定に応答して、ＤＭＳ１３０に要求を通信して、データベース１３２内のユーザレコードをユーザーがアカウントの承認を受けていないことを示します。さらに、プロセッサ１４２は、（例えば、ユーザの電子メールアドレスへの電子メールまたはユーザの携帯電話へのＳＭＳを介して）ユーザの連絡先にメッセージを送信して、そのアプリケーションが拒否されたことを確認する彼らはアカウントのために承認されていません。
【０１６９】
しかし、ユーザが提出したアドレスを表すデータが、抽出されたＩＰアドレスに対応する地理的位置を表すデータと一致するという決定に応答して、プロセッサ１４２はＤＭＳ１３０に要求を通信して、データベース１３２のユーザレコードをユーザーがアカウントを承認されたことを示します。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが成功したことを確認し彼らはアカウントのために承認されています。
【０１７０】
図１６に示すオプションのプロセスでは、ユーザは、図１４ｃのステップＳ５１４の要求に応じて、適切な撮像機器を使用して自分自身の写真を撮影した後、携帯電話から、写真。画像ファイルは、ウェブ・インターフェース１２２を介してウェブ・サーバ１２０に通信され（Ｓ５６６）、その上に実装された提出画像有効性モジュール１７１による動作のために、プロセッサ１４２への前方転送のために送られる。
【０１７１】
撮像機器は、例えば、ユーザの携帯電話の特徴を含むことができるグローバル測位対応カメラであってもよい。
【０１７２】
画像ファイルの受信に応答して、送信された画像有効性モジュール１７１は、画像ファイルが記憶装置１３６に記憶されたタイミングデータを参照して指定された時間制限内に受信されたかどうかを判断するように動作する（Ｓ５６８）。ステップＳ５１４の電子メールが送信される。指定された期限内に画像ファイルが受信されない場合、プロセッサ１４２は、ＤＭＳ１３０に要求を通信して、データベース１３２内のユーザレコードをＳ５７０に更新して、ユーザがアカウントに対して承認されていないことを示す。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが拒否されたことを確認する彼らはアカウントのために承認されていません。
【０１７３】
しかし、画像ファイルが指定された期限内に受信された場合、提出画像有効性モジュール１７１は、画像ファイルからタイムスタンプを表すデータを抽出するように動作し、記憶装置１３６に記憶されたタイミングデータを参照して、タイムスタンプデータをタイミングデータと比較して、画像ファイルのタイムスタンプデータによって表される時間がタイミングデータによって表される時間の後であるかどうかを判断する（Ｓ５７４）。これは、ステップＳ５１４の要求の後に（すなわち、期限切れの写真が提出されるのを避けるために）、ユーザ自身によって撮影された写真が発生したかどうかを判断するためである。画像ファイルのタイムスタンプデータとタイミングデータとの比較が、ステップＳ５１４の要求の前に作成される画像ファイルを示す場合、プロセッサ１４２は、ＤＭＳ１３０に要求を通信して、データベース１３２内のユーザレコードをＳ５７０に更新するユーザーがアカウントの承認を受けていないことを示します。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが拒否されたことを確認する彼らはアカウントのために承認されていません。
【０１７４】
画像ファイルのタイムスタンプデータとタイミングデータとの比較が、ステップＳ５１４の要求後に生成される画像ファイルを示す場合、プロセッサ１４２は、ＧＰＳデータ抽出モジュール１５１を実装するための命令を実行する。ＧＰＳデータ抽出モジュール１５１  Ｓ５７６を実行して、画像ファイルを含むパケットのヘッダからＧＰＳデータを抽出する。抽出されたＧＰＳデータを使用して、プロセッサ１４２は、抽出されたＧＰＳデータに対応する地理的位置のジオロケーションサービスに要求Ｓ５７８を通信する。
【０１７５】
ＧＰＳデータに対応する地理的位置を表す受信データ（Ｓ５８０）は、プロセッサ１４２に送られ、後で検索のために記憶装置１３６に転送される。
【０１７６】
地理的位置を表すデータの受信に続いて、プロセッサ１４２は、Ｓ５８２アドレス比較モジュール１５８を実装する命令を実行する。
【０１７７】
アドレス比較モジュール１５８は、抽出されたＧＰＳデータに対応する地理的位置を表すデータの検索と共に、記憶装置１３６からユーザが提出したアドレスの詳細を表すデータの検索を開始する。アドレス比較モジュール１５８は、ユーザが提出したアドレスの詳細を表すデータと、抽出されたＧＰＳデータに対応する地理的位置を表すデータとの比較Ｓ５８４を実行する。
【０１７８】
プロセッサ１４２は、ユーザから提出されたアドレスを表すデータが、抽出されたＧＰＳデータに対応する地理的位置を表すデータと一致しないとの判断に応答して、ＤＭＳ１３０に要求を通信して、データベース１３２のユーザレコードをユーザーがアカウントの承認を受けていないことを示します。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが拒否されたことを確認する彼らはアカウントのために承認されていません。
【０１７９】
しかし、ユーザが提出したアドレスを表すデータが、抽出されたＧＰＳデータに対応する地理的位置を表すデータと一致するという決定に応答して、プロセッサ１４２はＤＭＳ１３０に要求を通信して、データベース１３２のユーザレコードをユーザーがアカウントを承認されたことを示します。さらに、プロセッサ１４２は、（例えば、ユーザの電子メールアドレスへの電子メールまたはユーザの携帯電話へのＳＭＳを介して）ユーザのコンタクトポイントにメッセージを送信して、そのアプリケーションが成功したことを確認し彼らはアカウントのために承認されています。
【０１８０】
１つ以上のオプションの構成では、（図１４ａ〜図１４ｃを参照して上述したような）口座申請承認プロセスの特定のステップを除外することができる。例えば、口座申請の承認プロセスは、以下のうちの１つ以上に基づいていてもよいが、すべてではない。
・アドレス比較（すなわち、提出された住所の詳細とＩＰアドレスを介して得られた地理的位置との比較、および／または提出された身元証明から得られた住所の詳細とＩＰアドレスを介して得られた地理的位置との比較）。
・画像比較（すなわち、提出された識別証拠から得られた画像と、画像検索モジュールを用いて得られた画像との比較）。そして
・名前の比較（すなわち、提出された身元証明書から得られた名前の詳細と提出された名前の詳細の比較）。
【０１８１】
１つ以上のオプションの構成では、口座申請承認プロセスのアドレス比較段階はＩＰアドレスデータを利用せず、代わりにユーザが指定された期限内にＧＰＳデータをそのコンピュータに使用するコンピュータ１０２Ａ／１０２Ｂアカウントアプリケーション承認プロセス。特定の実施形態では、この要求は、ＧＰＳ対応カメラからのデジタル写真に関するものである。このようなＧＰＳ対応カメラは、携帯電話だけでなく、スタンドアロンカメラにも見られる。ＩＰデータが使用されないアドレス比較のプロセスは、画像ファイルが携帯電話から送信されるのではなくコンピュータ１０２Ａ／１０２Ｂにダウンロードされるが、図１６を参照して上述したプロセスに従うことができる。図１６の携帯電話は、コンピュータ１０２Ａ／１０３Ｂを介して適切に提出された、ＧＰＳ対応カメラまたはＧＰＳ位置特定装置などの別のＧＰＳ対応装置およびデジタル画像ファイルまたはＧＰＳデータファイルと置き換えることができる。このような実施形態は、コンピュータのＩＰアドレスが特定の地理的位置との対応関係を持たず、アドレス比較のためのオプションプロセスではなく、アドレス比較のためのプロセスに適している。
【０１８２】
これらの１つ以上の任意の配置では、ユーザがアプリケーションプロセスを実行している物理的位置の決定は、（ＩＰアドレスデータの代わりに）ＧＰＳデータに基づいて行われる。したがって、図１４ａを特に参照すると、プロセッサ１４２は、提出データの受信に応答して、ＧＰＳデータ抽出モジュール１５１を実装するための命令を実行する。ＧＰＳデータ抽出モジュール１５０は、パケットのヘッダからＧＰＳ位置を表すデータを抽出するように動作する提出データを含む。抽出されたＧＰＳ位置データを使用して、プロセッサ１４２は、ＧＰＳ位置データに基づいて地理的位置を識別するために記憶装置１３６に問い合わせる。
【０１８３】
抽出されたＧＰＳデータに対応する地理的位置を表すデータは、後に検索のために記憶装置１３６に転送されるようにプロセッサに送られる。このＧＰＳベースの地理的位置データは、図１４ａのステップＳ５１０および図１４ｂのステップＳ５１２と同様のステップに対応するプロセスステップで使用される。
【０１８４】
１つ以上のオプションの構成では、（図１４ａ〜図１４ｃを参照して上述したように、また上述の１つ以上のオプションの構成を含む）口座申請承認プロセスは、画像比較モジュール１７０ユーザが提出した識別証拠から抽出された写真画像を表すデータと、ユーザによって提出された別個の写真画像（例えば、図１５のステップＳ５４０または図５のステップＳ５６６で提供される画像）を表すデータとの比較を実行するように動作する。１６）。一致が決定されない場合、申請は却下されるかもしれないが、合致が決定された場合、申請が承認されることがある。
【０１８５】
１つ以上のオプションの構成では、（図１４ａ〜図１４ｃを参照して上述したように、また上述の１つ以上のオプションの構成を含む）口座申請承認プロセスは、プロセッサ１４２が命令を実行するステップ登録者リスク評価モジュール１７２を実装する。このモジュールは、アプリケーションプロセス中に供給された情報に基づいて登録者のためのリスクスコアを作成するように動作する。例えば、リスクスコアは、以下の１つ以上の影響を受ける可能性があります。
・登録者の居住国。
・登録者の出身国。
・登録者が政治的に暴露された人物（ＰＥＰ）であるかどうか。そして、
・登録者がクレジット「ブラックリスト」に記載されているかどうか。
【０１８６】
個人に割り当てられたリスクスコアは、データベース１３２にユーザの詳細とともに格納することができる。
【０１８７】
上記の説明は、自然人、すなわち実際の人間であるユーザのためのアプリケーションプロセスに関する。しかし、申請プロセスは、法人であるユーザー、すなわちビジネスエンティティ（民間法人）または政府エンティティ（公的法人）のアカウントアプリケーションに使用できます。法人の要求される情報は、自然人の要求される情報と異なる場合があり、および／または追加情報が必要とされることがあることを理解されたい。しかし、これは単に、個人によるアプリケーションに関連するものとは対照的に、ビジネスアプリケーションに関連するウェブページの表示を伴うだけである。ビジネスから要求される可能性のある情報の例は、次のとおりです。
・会社名
・取引名
・会社の種類のステータスの表示（例えば、ソーシャルトレーダー、リミテッドパートナーシップ、リミテッドパートナーシップ、リミテッドリミテッドカンパニー、パートナーシップ、プライベートカンパニー、保証、無限会社、信託、株式会社、その他）
・ウェブサイト
・住所
−  ハウス／ビルディング／フロア番号
−  ストリート１
−  ストリート２
−  郵便番号
−  シティ
−  郡
−  国
・郵便番号（別の場合）
−  ハウス／ビルディング／フロア番号
−  ストリート１
−  ストリート２
−  郵便番号
−  シティ
−  郡
−  国
・登録番号
・設立国
・設立日
・取引が開始された日付
・ビジネス活動の説明
−  サプライヤーの説明
−  サプライヤーの基盤となる国
−  顧客の説明
−  顧客が基づいている国
・貿易機関のメンバー／協会の表示
−  身体／協会の名前
−  登録番号
・アカウント使用目的
・年間期待フロー
・１か月あたりの予想フロー
・規制された活動
−  レギュレータの名前
−  登録番号
・過去の活動
−  年
−  開始月
−  月末
−  売上高
−  純利益
・署名情報
−  ログインデータ
−  タイトル
−  名前
−  ミドルネーム
−  姓
−  携帯電話番号
−  電子メールアドレス
−  性別（男性、女性）
−  生年月日
−  前の名前
−  生年月日
−  出生国籍
−  国籍
−  国
−  パスポート番号
−  有効期限
−  配偶者の有無
−  居住国
−  住居住所
【０１８８】
ビジネスのような法人による申請の場合、個人に関連して上述したような口座申請プロセスは、口座署名者になるビジネスの個人に使用されてもよい。したがって、上記と同じ方法で同一性証拠を提供することが要求される場合があり、そのような同一性証拠は上記と同じ方法で検証される。
【０１８９】
上述の１つまたは複数の実施形態では、ユーザによってログインするためのパスワードがユーザによって作成される。ただし、オプションのアレンジでは、アプリケーションサーバーによってパスワードを作成してユーザーに提供することができます。
【０１９０】
１つまたは複数のオプションの構成では、前記第１または第２のコンピュータ１０２Ａ、１０２Ｂのうちの１つのアプリケーションプログラム１１６ａ、１１６ｂは、サーバ１０４のクラスタまたはデータストア１０６から第１または第２のコンピュータ１０２Ａ、１０２Ｂにダウンロード可能なプログラム第１のコンピュータ１０２Ａまたは第２のコンピュータ１０２Ｂで実行されると、プログラムは、ユーザがアプリケーションプロセスを実行するための情報をユーザに入力させるためのユーザインタフェース、すなわちディスプレイを介して第１または第２のコンピュータ１０２Ａ、１０２Ｂを構成することができる。ウェブブラウザセッションとは対照的に「クライアントホストセッション」。このオプションの構成では、アプリケーションプログラム１１６Ａまたは１１６Ｂは、サーバ１０４のクラスタに提出する前に、ユーザによって提出された情報を表すデータが変更または改ざんされないことを保証するために、暗号化アルゴリズムを使用することができる。例えば、提出されるアイデンティティ証拠の日時データ、および例えばグローバルポジショニング可能カメラを使用して自分自身が撮影した写真の日付、位置および時間データを含む。
【０１９１】
任意の１つの実施形態に関連して説明される任意の特徴は、単独で、または記載された他の特徴と組み合わせて使用されてもよく、他の実施形態の１つまたは複数の特徴と組み合わせて使用されてもよく、他の実施形態のものと同様である。例えば、ＯＣＲ機能を実装する必要はなく、データ処理アプリケーションに供給される文書からコピーされたデータが、店員によってコピーされる。
【０１９２】
本明細書で使用される場合、「一実施形態」または「実施形態」のいずれかの言及は、実施形態に関連して説明される特定の要素、特徴、構造または特性が少なくとも１つの実施形態に含まれることを意味する。本明細書の様々な箇所における「一実施形態では」という語句または「実施形態では」という語句の出現は、必ずしも同じ実施形態を指しているわけではない。
【０１９３】
上述した本発明の実施形態が、少なくとも部分的に、汎用プロセッサまたは専用プロセッサ、デジタル信号プロセッサ、マイクロプロセッサ、または他の処理デバイスなどのソフトウェア制御プログラマブル処理デバイス、データ処理装置またはコンピュータシステムであって、前述の方法、装置およびシステムを実装するためのプログラム可能な装置、装置またはシステムを構成するためのコンピュータプログラムが、本発明の態様として想定されることは理解されよう。コンピュータプログラムは、ソースコード、オブジェクトコード、コンパイルされたコード、解釈されたコード、実行可能コード、静的コード、動的コードなどの任意の適切なタイプのコードとして具体化されてもよい。命令は、Ｃ、Ｃ＋＋、Ｊａｖａ（登録商標）、ＢＡＳＩＣ、Ｐｅｒｌ、Ｍａｔｌａｂ、Ｐａｓｃａｌ、Ｖｉｓｕａｌ  Ｂａｓｉｃ、ＡｃｔｉｖｅＸ（登録商標）などの任意の適切なハイレベル、ローレベル、オブジェクト指向、ビジュアル、コンパイルおよび／、アセンブリ言語、機械コードなどを含む。当業者であれば、最も一般的な意味での「コンピュータ」という用語は、上述したようなプログラム可能な装置、およびそれらが発生する可能性のある形式のデータ処理装置およびコンピュータシステム、例えばデスクトップパーソナルコンピュータ、タブレット、スマートフォン、または他のコンピューティングデバイスである。
【０１９４】
適切には、コンピュータプログラムは、機械読み取り可能な形態でキャリア媒体に格納され、例えば、キャリア媒体は、メモリ、リムーバブルまたは非リムーバブルメディア、消去可能または消去不能メディア、書き込み可能または再書き込み可能メディア、（ＣＤ−ＲＯＭ）、光ディスク、磁気媒体、光磁気媒体、リムーバブルメモリカードまたはディスク、様々なタイプのＤＶＤ（Ｄｉｇｉｔａｌ  Ｖｅｒｓａｔｉｌｅ  Ｄｉｓｋ）加入者識別モジュール、テープ、カセットソリッドステートメモリ。コンピュータプログラムは、電子信号、無線周波数搬送波または光搬送波などの通信媒体に具体化された遠隔ソースから供給することができる。そのようなキャリア媒体もまた、本発明の態様として想定される。
【０１９５】
本明細書で使用される場合、用語「備える」、「含む」、「含む」、「含む」、「有する」、「有する」またはそれらの任意の他の変形は非排他的な包含を包含することを意図している。例えば、要素のリストを含むプロセス、方法、物品、または装置は、必ずしもそれらの要素のみに限定されるものではなく、明示的に列挙されていないかまたはそのようなプロセス、方法、物品または装置に固有の他の要素を含むことができる。さらに、反対のことが明示的に述べられていない限り、「または」は排他的または排他的ではなく包括的であることを意味する。例えば、条件ＡまたはＢは、Ａが真（または存在）、Ｂが偽（または存在しない）、Ａが偽（または存在しない）、Ｂが真（または存在）ＡとＢの両方が真である（または存在する）。
【０１９６】
さらに、「ａ」または「ａｎ」の使用は、本発明の要素および構成要素を説明するために用いられる。これは、単に便宜上のためであり、本発明の一般的な意味を与えるためである。この説明は、１つまたは少なくとも１つを含むように読まれるべきであり、単数形は、それが他の意味であることが明らかでない限り、複数形も含む。
【０１９７】
前述の説明を考慮して、本発明の範囲内で様々な変更がなされ得ることは、当業者には明らかであろう。例えば、サーバクラスタ１０４は、互いに地理的に近いサーバを備えていなくてもよいが、１つ以上のサーバは、互いに地理的に離れていてもよい。
【０１９８】
本開示の範囲は、特許請求の範囲に記載の発明に関するか否かにかかわらず、明示的または暗示的に、または本発明によって対処される問題のいずれかまたはすべてを緩和して、それらに開示された任意の新規な特徴または特徴の組み合わせを含む。出願人は、この出願の訴追中またはそのような更なる出願の際に、そのような特徴に新しい請求項を定式化することができることに気付く。特に、添付の特許請求の範囲を参照すると、従属請求項の特徴を独立請求項の特徴と組み合わせることができ、それぞれの独立請求項の特徴は、単に請求項に列挙された特定の組み合わせではない。
【図１】
2018513446.tif 000002
【図２】
2018513446.tif 000003
【図３】
2018513446.tif 000004
【図４】
2018513446.tif 000005
【図５】
2018513446.tif 000006
【図６】
2018513446.tif 000007
【図７】
2018513446.tif 000008
【図８】
2018513446.tif 000009
【図９ａ】
2018513446.tif 000010
【図９ｂ】
2018513446.tif 000011
【図１０ａ】
2018513446.tif 000012
【図１０ｂ】
2018513446.tif 000013
【図１１】
2018513446.tif 000014
【図１２】
2018513446.tif 000015
【図１３】
2018513446.tif 000016
【図１４ａ】
2018513446.tif 000017
【図１４ｂ】
2018513446.tif 000018
【図１４ｃ】
2018513446.tif 000019
【図１５】
2018513446.tif 000020
【図１６】
2018513446.tif 000021
【国際調査報告】
2018513446.tif 000022
2018513446.tif 000023
2018513446.tif 000024